(57)【要約】  本開示は、ネットワークアクセス方法、その関連機器およびシステムを提供する。当該方法において、ＵＥは、第１ＲＡＮにアクセスするネットワークノードのＩＤ情報を保存する。前記ＵＥは、前記第１ＲＡＮの接続を保持しながら、接続確立要求を第２ＲＡＮに送信する。前記ネットワークノードのＩＤ情報が前記接続確立要求に含まれることから、前記第２ＲＡＮから前記ＵＥに対し、前記ネットワークノードを、前記ＵＥから前記第２ＲＡＮにアクセスするネットワークノードとして選択する。【選択図】  図２
2019510435.tif 000002
【特許請求の範囲】
【請求項１】
ネットワークアクセス方法において、
ＵＥが、第１ＲＡＮにアクセスするネットワークノードのＩＤ情報を保存することと、
前記ＵＥが、前記第１ＲＡＮの接続を保持しながら、接続確立要求を第２ＲＡＮに送信することとを含み、
前記ネットワークノードのＩＤ情報が前記接続確立要求に含まれることから、前記第２ＲＡＮから前記ＵＥに対し、前記ネットワークノードを、前記ＵＥから前記第２ＲＡＮにアクセスするネットワークノードとして選択するネットワークアクセス方法。
【請求項２】
前記ネットワークノードは、コアネットワークノードを含み、
前記ＵＥが前記第１ＲＡＮにアクセスする場合、前記コアネットワークノードのＩＤ情報が含まれる一時ＩＤは、前記コアネットワークノードから前記ＵＥに割り当てられ、
前記ＵＥが、第１ＲＡＮにアクセスするネットワークノードのＩＤ情報を保存することは、
前記ＵＥが前記一時ＩＤを受信して保存することを含む請求項１に記載の方法。
【請求項３】
前記ネットワークノードは、コアネットワークノードと、前記第１ＲＡＮで前記ＵＥと前記コアネットワークノードとの接続が確立されるアグリゲートノードを含み、
前記ＵＥが前記第１ＲＡＮにアクセスする場合、前記コアネットワークノードのＩＤ情報が含まれる一時ＩＤは、前記コアネットワークノードから前記ＵＥに割り当てられ、
前記ＵＥが、第１ＲＡＮにアクセスするネットワークノードのＩＤ情報を保存することは、
前記ＵＥが前記一時ＩＤと前記アグリゲートノードのＩＤ情報を受信して保存することを含む請求項１に記載の方法。
【請求項４】
前記アグリゲートノードのＩＤ情報は、前記アグリゲートノードが前記コアネットワークノードから前記一時ＩＤを受信して前記ＵＥに送信するものであり、かつ、
前記アグリゲートノードは、前記ＵＥのコンテキスト情報を前記一時ＩＤに関連付けて管理する請求項３に記載の方法。
【請求項５】
前記アグリゲートノードのＩＤ情報と前記一時ＩＤが前記接続確立要求に含まれることから、
前記第２ＲＡＮは、前記アグリゲートノードを、前記ＵＥから前記第２ＲＡＮにアクセスするアグリゲートノードとして選択し、
前記アグリゲートノードは、ＵＥのコンテキスト情報を前記一時ＩＤに関連付けて管理し、そして、前記ＵＥから前記第２ＲＡＮで送信されるメッセージを、前記ＵＥが前記第１ＲＡＮで確立する前記アグリゲートノードと前記コアネットワークノードとのインタフェースを介して伝送する請求項３または４に記載の方法。
【請求項６】
前記一時ＩＤは、第１一時ＩＤであり、
前記ＵＥが前記一時ＩＤと前記アグリゲートノードのＩＤ情報を受信して保存することは、
前記ＵＥが前記第１一時ＩＤと、前記アグリゲートノードから前記ＵＥに割り当てられ、かつ前記アグリゲートノードのＩＤ情報が含まれる第２一時ＩＤを受信して保存することを含む請求項３に記載の方法。
【請求項７】
前記第１一時ＩＤと前記第２一時ＩＤが前記接続確立要求に含まれることから、
前記第２ＲＡＮは、前記アグリゲートノードを、前記ＵＥから前記第２ＲＡＮにアクセスするアグリゲートノートとして選択し、前記第２一時ＩＤを前記アグリゲートノードに送信し、
前記アグリゲートノードは、ＵＥのコンテキスト情報を前記第２一時ＩＤに関連付けて管理する請求項６に記載の方法。
【請求項８】
ネットワークアクセス方法において、
第２ＲＡＮのＲＡＮノードが、第１ＲＡＮの接続を保持するＵＥから送信され、かつ前記ＵＥから前記第１ＲＡＮにアクセスするネットワークノードのＩＤ情報が含まれる接続確立要求を受信することと、
前記ＲＡＮノードが、前記ＩＤ情報を用いて、前記ネットワークノードを、前記ＵＥから前記第２ＲＡＮにアクセスするネットワークノードとして選択することとを含むネットワークアクセス方法。
【請求項９】
前記ネットワークノードは、コアネットワークノードを含み、
前記ＵＥが前記第１ＲＡＮにアクセスする場合、前記コアネットワークノードのＩＤ情報が含まれる一時ＩＤは、前記コアネットワークノードから前記ＵＥに割り当てられ、
前記接続確立要求に前記一時ＩＤが含まれる請求項８に記載の方法。
【請求項１０】
前記ネットワークノードは、コアネットワークノードと、前記第１ＲＡＮで前記ＵＥと前記コアネットワークノードとの接続が確立されるアグリゲートノードを含み、
前記ＵＥが前記第１ＲＡＮにアクセスする場合、前記コアネットワークノードのＩＤ情報が含まれる一時ＩＤは、前記コアネットワークノードから前記ＵＥに割り当てられ、
前記接続確立要求に前記アグリゲートノードのＩＤ情報と前記一時ＩＤが含まれる請求項８に記載の方法。
【請求項１１】
前記ＲＡＮノードが、前記ＩＤ情報を用いて、前記ネットワークノードを、前記ＵＥから前記第２ＲＡＮにアクセスするネットワークノードとして選択することは、
前記ＲＡＮノードが、前記アグリゲートノードのＩＤ情報を用いて、前記アグリゲートノードを、前記ＵＥから前記第２ＲＡＮにアクセスするアグリゲートノードとして選択することを含み、
よって、前記アグリゲートノードは、ＵＥのコンテキスト情報を前記一時ＩＤに関連付けて管理し、そして、前記ＵＥから前記第２ＲＡＮで送信されるメッセージを、前記ＵＥが前記第１ＲＡＮで確立する前記アグリゲートノードと前記コアネットワークノードとのインタフェースを介して伝送する請求項１０に記載の方法。
【請求項１２】
前記一時ＩＤは、第１一時ＩＤであり、
前記接続確立要求は、前記第１一時ＩＤと、前記アグリゲートノードから前記ＵＥに割り当てられ、かつ前記アグリゲートノードのＩＤ情報が含まれる第２一時ＩＤとを含み、
前記ＲＡＮノードが、前記ＩＤ情報を用いて、前記ネットワークノードを、前記ＵＥから前記第２ＲＡＮにアクセスするネットワークノードとして選択することは、
前記ＲＡＮノードが、前記第２一時ＩＤを用いて、前記ネットワークノードを、前記ＵＥから前記第２ＲＡＮにアクセスするネットワークノードとして選択することを含み、
よって、前記アグリゲートノードは、ＵＥのコンテキスト情報を前記第２一時ＩＤに関連付けて管理する請求項１０に記載の方法。
【請求項１３】
ネットワークアクセス方法において、
ＵＥが第１ＲＡＮにアクセスする場合、コアネットワークノードから、前記コアネットワークノードのＩＤ情報が含まれる一時ＩＤを前記ＵＥに割り当てることと、
前記コアネットワークノードから前記ＵＥに前記一時ＩＤを送信することとを含み、
前記コアネットワークノードから前記ＵＥに前記一時ＩＤを送信することによって、前記ＵＥは、前記一時ＩＤを保存し、前記第１ＲＡＮの接続を保持しながら、接続確立要求を第２ＲＡＮに送信し、前記一時ＩＤが前記接続確立要求に含まれることから、前記第２ＲＡＮは、前記コアネットワークノードを、前記ＵＥから前記第２ＲＡＮにアクセスするコアネットワークノードとして選択するネットワークアクセス方法。
【請求項１４】
前記コアネットワークノードから前記一時ＩＤを前記ＵＥに送信することは、
前記第１ＲＡＮで前記ＵＥと前記コアネットワークノードとの接続が確立されるアグリゲートノードのＩＤ情報と前記一時ＩＤを前記アグリゲートノードから前記ＵＥに送信するため、前記一時ＩＤを前記コアネットワークノードから前記アグリゲートノードに送信することを含む請求項１３に記載の方法。
【請求項１５】
前記コアネットワークノードは、前記アグリゲートノードから、前記ＵＥが前記第１ＲＡＮで確立する前記アグリゲートノードと前記コアネットワークノードとのインタフェースを介して伝送され、前記ＵＥから前記第２ＲＡＮで送信されるメッセージを受信することをさらに含む請求項１４に記載の方法。
【請求項１６】
前記一時ＩＤは、第１一時ＩＤであり、
前記アグリゲートノードのＩＤ情報は、前記アグリゲートノードから前記ＵＥに割り当てられる第２一時ＩＤであり、
前記第２一時ＩＤは、前記アグリゲートノードのＩＤ情報を含む請求項１４または１５に記載の方法。
【請求項１７】
ネットワークアクセス方法において、
ＵＥが第１ＲＡＮにアクセスする場合にコアネットワークノードから前記ＵＥに割り当てられ、前記コアネットワークノードのＩＤ情報が含まれる一時ＩＤを、アグリゲートノードがコアネットワークノードから受信することと、
前記ＵＥが前記第１ＲＡＮで前記アグリゲートノードと前記コアネットワークノードとの接続を確立するため、前記アグリゲートノードが、前記一時ＩＤと前記アグリゲートノードのＩＤ情報を前記ＵＥに送信することと、
前記アグリゲートノードが、前記第１ＲＡＮの接続を保持する前記ＵＥから前記第２ＲＡＮに接続確立要求を送信する場合に第２ＲＡＮから送信される接続確立要求を受信することと、
前記アグリゲートノードが、ＵＥのコンテキスト情報を接続確立要求に関連付けて管理することとを含むネットワークアクセス方法。
【請求項１８】
前記アグリゲートノードは、前記ＵＥが前記第１ＲＡＮで確立する前記アグリゲートノードと前記コアネットワークノードとのインタフェースを介して、前記ＵＥから前記第２ＲＡＮで送信されるメッセージを伝送することをさらに含む請求項１７に記載の方法。
【請求項１９】
前記第２ＲＡＮから送信される接続確立要求は、前記ＩＤ情報と前記一時ＩＤを含み、
前記アグリゲートノードがＵＥのコンテキスト情報を接続確立要求に関連付けて管理することは、
前記アグリゲートノードがＵＥのコンテキスト情報を前記一時ＩＤに関連付けて管理することを含む請求項１７または１８に記載の方法。
【請求項２０】
前記一時ＩＤは、第１一時ＩＤであり、
前記アグリゲートノードから前記ＵＥに第２一時ＩＤを割り当てることをさらに含み、
前記アグリゲートノードのＩＤ情報は、前記第２一時ＩＤであり、
前記第２一時ＩＤは、前記アグリゲートノードのＩＤ情報を含む請求項１７または１８に記載の方法。
【請求項２１】
前記第２ＲＡＮから送信される接続確立要求は、前記第１一時ＩＤと前記第２一時ＩＤを含み、
前記アグリゲートノードがＵＥのコンテキスト情報を接続確立要求に関連付けて管理することは、
前記アグリゲートノードがＵＥのコンテキスト情報を前記第２一時ＩＤに関連付けて管理することを含む請求項２０に記載の方法。
【請求項２２】
ＵＥにおいて、
前記ＵＥが第１ＲＡＮにアクセスするネットワークノードのＩＤ情報を保存することに用いられる保存モジュールと、
前記ＵＥが前記第１ＲＡＮの接続を保持しながら接続確立要求を第２ＲＡＮに送信することに用いられる送信モジュールとを含み、
前記ネットワークノードのＩＤ情報が前記接続確立要求に含まれることから、前記第２ＲＡＮから前記ＵＥに対し、前記ネットワークノードを、前記ＵＥから前記第２ＲＡＮにアクセスするネットワークノードとして選択するＵＥ。
【請求項２３】
前記ネットワークノードは、コアネットワークノードを含み、
前記ＵＥが前記第１ＲＡＮにアクセスする場合、前記コアネットワークノードのＩＤ情報が含まれる一時ＩＤは、前記コアネットワークノードから前記ＵＥに割り当てられ、
前記保存モジュールは、前記一時ＩＤを受信して保存することに用いられる請求項２２に記載のＵＥ。
【請求項２４】
前記ネットワークノードは、コアネットワークノードと、前記第１ＲＡＮで前記ＵＥと前記コアネットワークノードとの接続が確立されるアグリゲートノードを含み、
前記ＵＥが前記第１ＲＡＮにアクセスする場合、前記コアネットワークノードのＩＤ情報が含まれる一時ＩＤは、前記コアネットワークノードから前記ＵＥに割り当てられ、
前記保存モジュールは、前記一時ＩＤと前記アグリゲートノードのＩＤ情報を受信して保存することに用いられる請求項２２に記載のＵＥ。
【請求項２５】
前記アグリゲートノードのＩＤ情報は、前記アグリゲートノードが前記コアネットワークノードから前記一時ＩＤを受信して前記ＵＥに送信するものであり、かつ、
前記アグリゲートノードは、前記ＵＥのコンテキスト情報を前記一時ＩＤに関連付けて管理する請求項２４に記載のＵＥ。
【請求項２６】
前記アグリゲートノードのＩＤ情報と前記一時ＩＤが前記接続確立要求に含まれることから、
前記第２ＲＡＮは、前記アグリゲートノードを、前記ＵＥから前記第２ＲＡＮにアクセスするアグリゲートノードとして選択し、
前記アグリゲートノードは、ＵＥのコンテキスト情報を前記一時ＩＤに関連付けて管理し、そして、前記ＵＥから前記第２ＲＡＮで送信されるメッセージを、前記ＵＥが前記第１ＲＡＮで確立する前記アグリゲートノードと前記コアネットワークノードとのインタフェースを介して伝送する請求項２４または２５に記載のＵＥ。
【請求項２７】
前記一時ＩＤは、第１一時ＩＤであり、
前記保存モジュールは、前記第１一時ＩＤと、前記アグリゲートノードから前記ＵＥに割り当てられ、かつ前記アグリゲートノードのＩＤ情報が含まれる第２一時ＩＤを受信して保存することに用いられる請求項２４に記載のＵＥ。
【請求項２８】
前記第１一時ＩＤと前記第２一時ＩＤが前記接続確立要求に含まれることから、
前記第２ＲＡＮは、前記アグリゲートノードを、前記ＵＥから前記第２ＲＡＮにアクセスするアグリゲートノートとして選択し、前記第２一時ＩＤを前記アグリゲートノードに送信し、
前記アグリゲートノードは、ＵＥのコンテキスト情報を前記第２一時ＩＤに関連付けて管理する請求項２７に記載のＵＥ。
【請求項２９】
第２ＲＡＮのＲＡＮノードであるＲＡＮノードにおいて、
第１ＲＡＮの接続を保持するＵＥから送信され、かつ前記ＵＥから前記第１ＲＡＮにアクセスするネットワークノードのＩＤ情報が含まれる接続確立要求を受信することに用いられる受信モジュールと、
前記ＩＤ情報を用いて、前記ネットワークノードを、前記ＵＥから前記第２ＲＡＮにアクセスするネットワークノードとして選択することに用いられる選択モジュールとを含むＲＡＮノード。
【請求項３０】
前記ネットワークノードは、コアネットワークノードを含み、
前記ＵＥが前記第１ＲＡＮにアクセスする場合、前記コアネットワークノードのＩＤ情報が含まれる一時ＩＤは、前記コアネットワークノードから前記ＵＥに割り当てられ、
前記接続確立要求に前記一時ＩＤが含まれる請求項２９に記載のＲＡＮノード。
【請求項３１】
前記ネットワークノードは、コアネットワークノードと、前記第１ＲＡＮで前記ＵＥと前記コアネットワークノードとの接続が確立されるアグリゲートノードを含み、
前記ＵＥが前記第１ＲＡＮにアクセスする場合、前記コアネットワークノードのＩＤ情報が含まれる一時ＩＤは、前記コアネットワークノードから前記ＵＥに割り当てられ、
前記接続確立要求に前記アグリゲートノードのＩＤ情報と前記一時ＩＤが含まれる請求項２９に記載のＲＡＮノード。
【請求項３２】
前記選択モジュールは、
前記アグリゲートノードのＩＤ情報を用いて、前記アグリゲートノードを、前記ＵＥから前記第２ＲＡＮにアクセスするアグリゲートノードとして選択することに用いられ、
よって、前記アグリゲートノードは、ＵＥのコンテキスト情報を前記一時ＩＤに関連付けて管理し、そして、前記ＵＥから前記第２ＲＡＮで送信されるメッセージを、前記ＵＥが前記第１ＲＡＮで確立する前記アグリゲートノードと前記コアネットワークノードとのインタフェースを介して伝送する請求項３１に記載のＲＡＮノード。
【請求項３３】
前記一時ＩＤは、第１一時ＩＤであり、
前記接続確立要求は、前記第１一時ＩＤと、前記アグリゲートノードから前記ＵＥに割り当てられ、かつ前記アグリゲートノードのＩＤ情報が含まれる第２一時ＩＤとを含み、
前記選択モジュールは、
前記第２一時ＩＤを用いて、前記ネットワークノードを、前記ＵＥから前記第２ＲＡＮにアクセスするネットワークノードとして選択することに用いられ、
よって、前記アグリゲートノードは、ＵＥのコンテキスト情報を前記第２一時ＩＤに関連付けて管理する請求項３１に記載のＲＡＮノード。
【請求項３４】
コアネットワークノードにおいて、
ＵＥが第１ＲＡＮにアクセスする場合、前記コアネットワークノードのＩＤ情報が含まれる一時ＩＤを前記ＵＥに割り当てることに用いられる割当モジュールと、
前記ＵＥに前記一時ＩＤを送信することに用いられる送信モジュールとを含み、
前記ＵＥに前記一時ＩＤを送信することによって、前記ＵＥは、前記一時ＩＤを保存し、前記第１ＲＡＮの接続を保持しながら、接続確立要求を第２ＲＡＮに送信し、前記一時ＩＤが前記接続確立要求に含まれることから、前記第２ＲＡＮは、前記コアネットワークノードを、前記ＵＥから前記第２ＲＡＮにアクセスするコアネットワークノードとして選択するコアネットワークノード。
【請求項３５】
前記送信モジュールは、
前記第１ＲＡＮで前記ＵＥと前記コアネットワークノードとの接続が確立されるアグリゲートノードのＩＤ情報と前記一時ＩＤを前記アグリゲートノードから前記ＵＥに送信するため、前記一時ＩＤを前記アグリゲートノードに送信することに用いられる請求項３４に記載のコアネットワークノード。
【請求項３６】
前記アグリゲートノードから、前記ＵＥが前記第１ＲＡＮで確立する前記アグリゲートノードと前記コアネットワークノードとのインタフェースを介して伝送され、前記ＵＥから前記第２ＲＡＮで送信されるメッセージを受信することに用いられる受信モジュールをさらに含む請求項３５に記載のコアネットワークノード。
【請求項３７】
前記一時ＩＤは、第１一時ＩＤであり、
前記アグリゲートノードのＩＤ情報は、前記アグリゲートノードから前記ＵＥに割り当てられる第２一時ＩＤであり、
前記第２一時ＩＤは、前記アグリゲートノードのＩＤ情報を含む請求項３４または３５に記載のコアネットワークノード。
【請求項３８】
アグリゲートノードにおいて、
ＵＥが第１ＲＡＮにアクセスする場合にコアネットワークノードから前記ＵＥに割り当てられ、前記コアネットワークノードのＩＤ情報が含まれる一時ＩＤを、コアネットワークノードから受信することに用いられる第１受信モジュールと、
前記ＵＥが前記第１ＲＡＮで前記アグリゲートノードと前記コアネットワークノードとの接続を確立するため、前記一時ＩＤと前記アグリゲートノードのＩＤ情報を前記ＵＥに送信することに用いられる送信モジュールと、
前記第１ＲＡＮの接続を保持する前記ＵＥから前記第２ＲＡＮに接続確立要求を送信する場合に第２ＲＡＮから送信される接続確立要求を受信することに用いられる第２受信モジュールと、
ＵＥのコンテキスト情報を接続確立要求に関連付けて管理することに用いられる管理モジュールとを含むアグリゲートノード。
【請求項３９】
前記アグリゲートノードは、前記ＵＥが前記第１ＲＡＮで確立する前記アグリゲートノードと前記コアネットワークノードとのインタフェースを介して、前記ＵＥから前記第２ＲＡＮで送信されるメッセージを伝送することに用いられる伝送モジュールをさらに含む請求項３８に記載のアグリゲートノード。
【請求項４０】
前記第２ＲＡＮから送信される接続確立要求は、前記ＩＤ情報と前記一時ＩＤを含み、
前記管理モジュールは、
ＵＥのコンテキスト情報を前記一時ＩＤに関連付けて管理することに用いられる請求項３８または３９に記載のアグリゲートノード。
【請求項４１】
前記一時ＩＤは、第１一時ＩＤであり、
前記ＵＥに第２一時ＩＤを割り当てることに用いられる割当モジュールをさらに含み、
前記アグリゲートノードのＩＤ情報は、前記第２一時ＩＤであり、
前記第２一時ＩＤは、前記アグリゲートノードのＩＤ情報を含む請求項３８または３９に記載のアグリゲートノード。
【請求項４２】
前記第２ＲＡＮから送信される接続確立要求は、前記第１一時ＩＤと前記第２一時ＩＤを含み、
前記管理モジュールは、
ＵＥのコンテキスト情報を前記第２一時ＩＤに関連付けて管理することに用いられる請求項４１に記載のアグリゲートノード。
【請求項４３】
コアネットワークノードと、ＵＥと、第２ＲＡＮのＲＡＮノードとを含むネットワークアクセスシステムにおいて、
前記コアネットワークノードは、ＵＥが第１ＲＡＮにアクセスする場合、前記コアネットワークノードのＩＤ情報が含まれる一時ＩＤを前記ＵＥに割り当てて送信することに用いられ、
前記ＵＥは、前記一時ＩＤを保存し、前記一時ＩＤが含まれる接続確立要求を、前記第１ＲＡＮの接続を保持しながら第２ＲＡＮに送信することに用いられ、
前記第２ＲＡＮのＲＡＮノードは、前記一時ＩＤを用いて、前記コアネットワークノードを、前記ＵＥから前記第２ＲＡＮにアクセスするコアネットワークノードとして選択することに用いられるネットワークアクセスシステム。
【請求項４４】
コアネットワークノードと、アグリゲートノードと、ＵＥと、第２ＲＡＮのＲＡＮノードとを含むネットワークアクセスシステムにおいて、
前記コアネットワークノードは、ＵＥが第１ＲＡＮにアクセスする場合、前記コアネットワークノードのＩＤ情報が含まれる一時ＩＤを前記ＵＥに割り当て、前記一時ＩＤをアグリゲートノードに送信することに用いられ、
前記アグリゲートノードは、前記ＵＥが前記第１ＲＡＮで前記アグリゲートノードと前記コアネットワークノードとの接続を確立するため、前記一時ＩＤと前記アグリゲートノードのＩＤ情報を前記ＵＥに送信することに用いられ、
前記ＵＥは、前記一時ＩＤと前記ＩＤ情報を保存し、前記一時ＩＤと前記ＩＤ情報が含まれる接続確立要求を、前記第１ＲＡＮの接続を保持しながら第２ＲＡＮに送信することに用いられ、
前記第２ＲＡＮのＲＡＮノードは、前記ＩＤ情報を用いて、前記アグリゲートノードを、前記ＵＥから前記第２ＲＡＮにアクセスするアグリゲートノードとして選択することに用いられるネットワークアクセスシステム。
【請求項４５】
プロセッサと、前記プロセッサの制御のもとでデータを送受信することに用いられる送受信機と、メモリとを含むＵＥにおいて、
前記プロセッサは、前記メモリからプログラムを読み取って、
第１ＲＡＮにアクセスするネットワークノードのＩＤ情報を保存するプロセスと、
前記第１ＲＡＮの接続を保持しながら、接続確立要求を前記送受信機経由で第２ＲＡＮに送信するプロセスを実行し、
前記ネットワークノードのＩＤ情報が前記接続確立要求に含まれることから、前記第２ＲＡＮから前記ＵＥに対し、前記ネットワークノードを、前記ＵＥから前記第２ＲＡＮにアクセスするネットワークノードとして選択するＵＥ。
【請求項４６】
プロセッサと、前記プロセッサの制御のもとでデータを送受信することに用いられる送受信機と、メモリとを含み、第２ＲＡＮのＲＡＮノードであるＲＡＮノードにおいて、
前記プロセッサは、前記メモリからプログラムを読み取って、
第１ＲＡＮの接続を保持するＵＥから送信され、かつ前記ＵＥから前記第１ＲＡＮにアクセスするネットワークノードのＩＤ情報が含まれる接続確立要求を、前記送受信機経由で受信するプロセスと、
前記ＩＤ情報を用いて、前記ネットワークノードを、前記ＵＥから前記第２ＲＡＮにアクセスするネットワークノードとして選択するプロセスとを実行するＲＡＮノード。
【請求項４７】
プロセッサと、前記プロセッサの制御のもとでデータを送受信することに用いられる送受信機と、メモリとを含むコアネットワークノードにおいて、
前記プロセッサは、前記メモリからプログラムを読み取って、
ＵＥが第１ＲＡＮにアクセスする場合、コアネットワークノードのＩＤ情報が含まれる一時ＩＤを前記ＵＥに割り当てるプロセスと、
前記一時ＩＤを送受信機経由で前記ＵＥに送信するプロセスとを実行し、
前記一時ＩＤを送受信機経由で前記ＵＥに送信するプロセスの実行によって、前記ＵＥは、前記一時ＩＤを保存し、前記第１ＲＡＮの接続を保持しながら接続確立要求を第２ＲＡＮに送信し、前記一時ＩＤが前記接続確立要求に含まれることから、前記第２ＲＡＮは、前記コアネットワークノードを、前記ＵＥから前記第２ＲＡＮにアクセスするコアネットワークノードとして選択するコアネットワークノード。
【請求項４８】
プロセッサと、前記プロセッサの制御のもとでデータを送受信することに用いられる送受信機と、メモリとを含むアグリゲートノードにおいて、
前記プロセッサは、前記メモリからプログラムを読み取って、
ＵＥが第１ＲＡＮにアクセスする場合にコアネットワークノードから前記ＵＥに割り当てられ、前記コアネットワークノードのＩＤ情報が含まれる一時ＩＤを、前記コアネットワークノードから前記送受信機経由で受信するプロセスと、
前記ＵＥが前記第１ＲＡＮで前記アグリゲートノードと前記コアネットワークノードとの接続を確立するため、前記一時ＩＤと前記アグリゲートノードのＩＤ情報を、前記送受信機経由で前記ＵＥに送信するプロセスと、
前記第１ＲＡＮの接続を保持する前記ＵＥから前記第２ＲＡＮに接続確立要求を送信する場合に第２ＲＡＮから送信される接続確立要求を、前記送受信機経由で受信するプロセスと、
ＵＥのコンテキスト情報を接続確立要求に関連付けて管理するプロセスとを実行するアグリゲートノード。
【発明の詳細な説明】
【技術分野】
【０００１】
本願は、２０１６年４月１日に中国で提出された中国特許出願Ｎｏ．２０１６１０２０４０５７．２の優先権を主張し、その全ての内容が援用によりここに取り込まれる。
【０００２】
本開示は、通信技術分野に係り、特にネットワークアクセス方法、その関連機器およびシステムに係る。
【背景技術】
【０００３】
現在、移動通信システムにおいて、コアネットワークに対し、ＬＴＥ（Ｌｏｎｇ  Ｔｅｒｍ  Ｅｖｏｌｕｔｉｏｎ）ネットワークのＲＡＮ（Ｒａｄｉｏ  Ａｃｃｅｓｓ  Ｎｅｔｗｏｒｋ）しかアクセスできず、２Ｇ／３ＧネットワークのＲＡＮからアクセスできない。すなわち、ＵＥ（Ｕｓｅｒ  Ｅｑｕｉｐｍｅｎｔ）は、同一時間でＬＴＥネットワークまたは２Ｇ／３Ｇネットワークにしか滞在できない。しかし、通信技術の発展に伴い、将来、ＵＥから同時に２つのＲＡＮ経由でネットワークに滞在することを必要とするシーンが現れる可能性がある。例えば、５Ｇでは、ＵＥから複数のアクセスシステム経由でネットワークにアクセスするシーンをサポートする必要がある。現在、ＵＥから同時に２つのＲＡＮ経由でネットワークに滞在することは、解決が急がれる技術的問題になっていることが分かる。
【発明の概要】
【発明が解決しようとする課題】
【０００４】
本開示の目的は、ＵＥから同時に２つのＲＡＮ経由でネットワークに滞在するという問題を解決するネットワークアクセス方法、その関連機器およびシステムを提供することである。
【課題を解決するための手段】
【０００５】
上記目的を達成するために、本開示の実施例によるネットワークアクセス方法において、下記ステップを含む。ＵＥは、第１ＲＡＮにアクセスするネットワークノードのＩＤ情報を保存する。前記ＵＥは、前記第１ＲＡＮの接続を保持しながら、接続確立要求を第２ＲＡＮに送信する。前記ネットワークノードのＩＤ情報が前記接続確立要求に含まれることから、前記第２ＲＡＮから前記ＵＥに対し、前記ネットワークノードを、前記ＵＥから前記第２ＲＡＮにアクセスするネットワークノードとして選択する。
【０００６】
選択可能に、前記ネットワークノードは、コアネットワークノードを含む。前記ＵＥが前記第１ＲＡＮにアクセスする場合、前記コアネットワークノードのＩＤ情報が含まれる一時ＩＤは、前記コアネットワークノードから前記ＵＥに割り当てられる。前記ＵＥが、第１ＲＡＮにアクセスするネットワークノードのＩＤ情報を保存することは、前記ＵＥが前記一時ＩＤを受信して保存することを含む。
【０００７】
選択可能に、前記ネットワークノードは、コアネットワークノードと、前記第１ＲＡＮで前記ＵＥと前記コアネットワークノードとの接続が確立されるアグリゲートノードを含む。前記ＵＥが前記第１ＲＡＮにアクセスする場合、前記コアネットワークノードのＩＤ情報が含まれる一時ＩＤは、前記コアネットワークノードから前記ＵＥに割り当てられる。前記ＵＥが、第１ＲＡＮにアクセスするネットワークノードのＩＤ情報を保存することは、前記ＵＥが前記一時ＩＤと前記アグリゲートノードのＩＤ情報を受信して保存することを含む。
【０００８】
選択可能に、前記アグリゲートノードのＩＤ情報は、前記アグリゲートノードが前記コアネットワークノードから前記一時ＩＤを受信して前記ＵＥに送信するものである。かつ、前記アグリゲートノードは、前記ＵＥのコンテキスト情報を前記一時ＩＤに関連付けて管理する。
【０００９】
選択可能に、前記アグリゲートノードのＩＤ情報と前記一時ＩＤが前記接続確立要求に含まれることから、前記第２ＲＡＮは、前記アグリゲートノードを、前記ＵＥから前記第２ＲＡＮにアクセスするアグリゲートノードとして選択し、前記アグリゲートノードは、ＵＥのコンテキスト情報を前記一時ＩＤに関連付けて管理し、そして、前記ＵＥから前記第２ＲＡＮで送信されるメッセージを、前記ＵＥが前記第１ＲＡＮで確立する前記アグリゲートノードと前記コアネットワークノードとのインタフェースを介して伝送する。
【００１０】
選択可能に、前記一時ＩＤは、第１一時ＩＤである。前記ＵＥが前記一時ＩＤと前記アグリゲートノードのＩＤ情報を受信して保存することは、前記ＵＥが前記第１一時ＩＤと、前記アグリゲートノードから前記ＵＥに割り当てられ、かつ前記アグリゲートノードのＩＤ情報が含まれる第２一時ＩＤを受信して保存することを含む。
【００１１】
選択可能に、前記第１一時ＩＤと前記第２一時ＩＤが前記接続確立要求に含まれることから、前記第２ＲＡＮは、前記アグリゲートノードを、前記ＵＥから前記第２ＲＡＮにアクセスするアグリゲートノートとして選択し、前記第２一時ＩＤを前記アグリゲートノードに送信し、前記アグリゲートノードは、ＵＥのコンテキスト情報を前記第２一時ＩＤに関連付けて管理する。
【００１２】
本開示の実施例による別のネットワークアクセス方法において、第２ＲＡＮのＲＡＮノードが、第１ＲＡＮの接続を保持するＵＥから送信され、かつ前記ＵＥから前記第１ＲＡＮにアクセスするネットワークノードのＩＤ情報が含まれる接続確立要求を受信することと、前記ＲＡＮノードが、前記ＩＤ情報を用いて、前記ネットワークノードを、前記ＵＥから前記第２ＲＡＮにアクセスするネットワークノードとして選択することとを含む。
【００１３】
選択可能に、前記ネットワークノードは、コアネットワークノードを含む。前記ＵＥが前記第１ＲＡＮにアクセスする場合、前記コアネットワークノードのＩＤ情報が含まれる一時ＩＤは、前記コアネットワークノードから前記ＵＥに割り当てられる。前記接続確立要求に前記一時ＩＤが含まれる。
【００１４】
選択可能に、前記ネットワークノードは、コアネットワークノードと、前記第１ＲＡＮで前記ＵＥと前記コアネットワークノードとの接続が確立されるアグリゲートノードを含む。前記ＵＥが前記第１ＲＡＮにアクセスする場合、前記コアネットワークノードのＩＤ情報が含まれる一時ＩＤは、前記コアネットワークノードから前記ＵＥに割り当てられる。前記接続確立要求に前記アグリゲートノードのＩＤ情報と前記一時ＩＤが含まれる。
【００１５】
選択可能に、前記ＲＡＮノードが、前記ＩＤ情報を用いて、前記ネットワークノードを、前記ＵＥから前記第２ＲＡＮにアクセスするネットワークノードとして選択することは、前記ＲＡＮノードが、前記アグリゲートノードのＩＤ情報を用いて、前記アグリゲートノードを、前記ＵＥから前記第２ＲＡＮにアクセスするアグリゲートノードとして選択することを含む。よって、前記アグリゲートノードは、ＵＥのコンテキスト情報を前記一時ＩＤに関連付けて管理し、そして、前記ＵＥから前記第２ＲＡＮで送信されるメッセージを、前記ＵＥが前記第１ＲＡＮで確立する前記アグリゲートノードと前記コアネットワークノードとのインタフェースを介して伝送する。
【００１６】
選択可能に、前記一時ＩＤは、第１一時ＩＤである。前記接続確立要求は、前記第１一時ＩＤと、前記アグリゲートノードから前記ＵＥに割り当てられ、かつ前記アグリゲートノードのＩＤ情報が含まれる第２一時ＩＤとを含む。前記ＲＡＮノードが、前記ＩＤ情報を用いて、前記ネットワークノードを、前記ＵＥから前記第２ＲＡＮにアクセスするネットワークノードとして選択することは、前記ＲＡＮノードが、前記第２一時ＩＤを用いて、前記ネットワークノードを、前記ＵＥから前記第２ＲＡＮにアクセスするネットワークノードとして選択することを含む。よって、前記アグリゲートノードは、ＵＥのコンテキスト情報を前記第２一時ＩＤに関連付けて管理する。
【００１７】
本開示の実施例による別のネットワークアクセス方法において、ＵＥが第１ＲＡＮにアクセスする場合、コアネットワークノードから、前記コアネットワークノードのＩＤ情報が含まれる一時ＩＤを前記ＵＥに割り当てることと、前記コアネットワークノードから前記ＵＥに前記一時ＩＤを送信することとを含む。よって、前記ＵＥは、前記一時ＩＤを保存する。前記ＵＥは、前記第１ＲＡＮの接続を保持しながら、接続確立要求を第２ＲＡＮに送信する。前記一時ＩＤが前記接続確立要求に含まれることから、前記第２ＲＡＮは、前記コアネットワークノードを、前記ＵＥから前記第２ＲＡＮにアクセスするコアネットワークノードとして選択する。
【００１８】
選択可能に、前記コアネットワークノードから前記一時ＩＤを前記ＵＥに送信することは、前記一時ＩＤを前記コアネットワークノードからアグリゲートノードに送信することを含む。よって、前記アグリゲートノードは、前記一時ＩＤと前記アグリゲートノードのＩＤ情報を前記ＵＥに送信する。前記アグリゲートノードは、前記第１ＲＡＮで前記ＵＥと前記コアネットワークノードとの接続が確立されるアグリゲートノードである。
【００１９】
選択可能に、前記方法において、前記コアネットワークノードは、前記アグリゲートノードから、前記ＵＥが前記第１ＲＡＮで確立する前記アグリゲートノードと前記コアネットワークノードとのインタフェースを介して伝送され、前記ＵＥから前記第２ＲＡＮで送信されるメッセージを受信することをさらに含む。
【００２０】
選択可能に、前記一時ＩＤは、第１一時ＩＤである。前記アグリゲートノードのＩＤ情報は、前記アグリゲートノードから前記ＵＥに割り当てられる第２一時ＩＤである。前記第２一時ＩＤは、前記アグリゲートノードのＩＤ情報を含む。
【００２１】
本開示の実施例による別のネットワークアクセス方法において、ＵＥが第１ＲＡＮにアクセスする場合にコアネットワークノードから前記ＵＥに割り当てられ、前記コアネットワークノードのＩＤ情報が含まれる一時ＩＤを、アグリゲートノードがコアネットワークノードから受信することと、前記ＵＥが前記第１ＲＡＮで前記アグリゲートノードと前記コアネットワークノードとの接続を確立するべく、前記アグリゲートノードが、前記一時ＩＤと前記アグリゲートノードのＩＤ情報を前記ＵＥに送信することと、前記アグリゲートノードが、前記第１ＲＡＮの接続を保持する前記ＵＥから前記第２ＲＡＮに接続確立要求を送信する場合に第２ＲＡＮから送信される接続確立要求を受信することと、前記アグリゲートノードが、ＵＥのコンテキスト情報を接続確立要求に関連付けて管理することとを含む。
【００２２】
選択可能に、前記方法において、前記アグリゲートノードは、前記ＵＥが前記第１ＲＡＮで確立する前記アグリゲートノードと前記コアネットワークノードとのインタフェースを介して、前記ＵＥから前記第２ＲＡＮで送信されるメッセージを伝送することをさらに含む。
【００２３】
選択可能に、前記第２ＲＡＮから送信される接続確立要求は、前記ＩＤ情報と前記一時ＩＤを含む。前記アグリゲートノードがＵＥのコンテキスト情報を接続確立要求に関連付けて管理することは、前記アグリゲートノードがＵＥのコンテキスト情報を前記一時ＩＤに関連付けて管理することを含む。
【００２４】
選択可能に、前記一時ＩＤは、第１一時ＩＤである。前記方法において、前記アグリゲートノードから前記ＵＥに第２一時ＩＤを割り当てることをさらに含む。前記アグリゲートノードのＩＤ情報は、前記第２一時ＩＤである。前記第２一時ＩＤは、前記アグリゲートノードのＩＤ情報を含む。
【００２５】
選択可能に、前記第２ＲＡＮから送信される接続確立要求は、前記第１一時ＩＤと前記第２一時ＩＤを含む。前記アグリゲートノードがＵＥのコンテキスト情報を接続確立要求に関連付けて管理することは、前記アグリゲートノードがＵＥのコンテキスト情報を前記第２一時ＩＤに関連付けて管理することを含む。
【００２６】
本開示の実施例によるＵＥは、保存モジュールと送信モジュールを含む。保存モジュールは、前記ＵＥが第１ＲＡＮにアクセスするネットワークノードのＩＤ情報を保存することに用いられる。送信モジュールは、前記ＵＥが前記第１ＲＡＮの接続を保持しながら、接続確立要求を第２ＲＡＮに送信することに用いられる。前記ネットワークノードのＩＤ情報が前記接続確立要求に含まれることから、前記第２ＲＡＮから前記ＵＥに対し、前記ネットワークノードを、前記ＵＥから前記第２ＲＡＮにアクセスするネットワークノードとして選択する。
【００２７】
選択可能に、前記ネットワークノードは、コアネットワークノードを含む。前記ＵＥが前記第１ＲＡＮにアクセスする場合、前記コアネットワークノードのＩＤ情報が含まれる一時ＩＤは、前記コアネットワークノードから前記ＵＥに割り当てられる。前記保存モジュールは、前記一時ＩＤを受信して保存することに用いられる。
【００２８】
選択可能に、前記ネットワークノードは、コアネットワークノードと、前記第１ＲＡＮで前記ＵＥと前記コアネットワークノードとの接続が確立されるアグリゲートノードを含む。前記ＵＥが前記第１ＲＡＮにアクセスする場合、前記コアネットワークノードのＩＤ情報が含まれる一時ＩＤは、前記コアネットワークノードから前記ＵＥに割り当てられる。前記保存モジュールは、前記一時ＩＤと前記アグリゲートノードのＩＤ情報を受信して保存することに用いられる。
【００２９】
選択可能に、前記アグリゲートノードのＩＤ情報は、前記アグリゲートノードが前記コアネットワークノードから前記一時ＩＤを受信して前記ＵＥに送信するものである。かつ、前記アグリゲートノードは、前記ＵＥのコンテキスト情報を前記一時ＩＤに関連付けて管理する。
【００３０】
選択可能に、前記アグリゲートノードのＩＤ情報と前記一時ＩＤが前記接続確立要求に含まれることから、前記第２ＲＡＮは、前記アグリゲートノードを、前記ＵＥから前記第２ＲＡＮにアクセスするアグリゲートノードとして選択し、前記アグリゲートノードは、ＵＥのコンテキスト情報を前記一時ＩＤに関連付けて管理し、そして、前記ＵＥから前記第２ＲＡＮで送信されるメッセージを、前記ＵＥが前記第１ＲＡＮで確立する前記アグリゲートノードと前記コアネットワークノードとのインタフェースを介して伝送する。
【００３１】
選択可能に、前記一時ＩＤは、第１一時ＩＤである。前記保存モジュールは、前記第１一時ＩＤと、前記アグリゲートノードから前記ＵＥに割り当てられ、かつ前記アグリゲートノードのＩＤ情報が含まれる第２一時ＩＤを受信して保存することに用いられる。
【００３２】
選択可能に、前記第１一時ＩＤと前記第２一時ＩＤが前記接続確立要求に含まれることから、前記第２ＲＡＮは、前記アグリゲートノードを、前記ＵＥから前記第２ＲＡＮにアクセスするアグリゲートノートとして選択し、前記第２一時ＩＤを前記アグリゲートノードに送信し、前記アグリゲートノードは、ＵＥのコンテキスト情報を前記第２一時ＩＤに関連付けて管理する。
【００３３】
本開示の実施例によるＲＡＮノードは、第２ＲＡＮのＲＡＮノードであり、受信モジュールと選択モジュールを含む。受信モジュールは、第１ＲＡＮの接続を保持するＵＥから送信され、かつ前記ＵＥから前記第１ＲＡＮにアクセスするネットワークノードのＩＤ情報が含まれる接続確立要求を受信することに用いられる。選択モジュールは、前記ＩＤ情報を用いて、前記ネットワークノードを、前記ＵＥから前記第２ＲＡＮにアクセスするネットワークノードとして選択することに用いられる。
【００３４】
選択可能に、前記ネットワークノードは、コアネットワークノードを含む。前記ＵＥが前記第１ＲＡＮにアクセスする場合、前記コアネットワークノードのＩＤ情報が含まれる一時ＩＤは、前記コアネットワークノードから前記ＵＥに割り当てられる。前記接続確立要求に前記一時ＩＤが含まれる。
【００３５】
選択可能に、前記ネットワークノードは、コアネットワークノードと、前記第１ＲＡＮで前記ＵＥと前記コアネットワークノードとの接続が確立されるアグリゲートノードを含む。前記ＵＥが前記第１ＲＡＮにアクセスする場合、前記コアネットワークノードのＩＤ情報が含まれる一時ＩＤは、前記コアネットワークノードから前記ＵＥに割り当てられる。前記接続確立要求に前記アグリゲートノードのＩＤ情報と前記一時ＩＤが含まれる。
【００３６】
選択可能に、前記選択モジュールは、前記アグリゲートノードのＩＤ情報を用いて、前記アグリゲートノードを、前記ＵＥから前記第２ＲＡＮにアクセスするアグリゲートノードとして選択することに用いられる。よって、前記アグリゲートノードは、ＵＥのコンテキスト情報を前記一時ＩＤに関連付けて管理し、そして、前記ＵＥから前記第２ＲＡＮで送信されるメッセージを、前記ＵＥが前記第１ＲＡＮで確立する前記アグリゲートノードと前記コアネットワークノードとのインタフェースを介して伝送する。
【００３７】
選択可能に、前記一時ＩＤは、第１一時ＩＤである。前記接続確立要求は、前記第１一時ＩＤと、前記アグリゲートノードから前記ＵＥに割り当てられ、かつ前記アグリゲートノードのＩＤ情報が含まれる第２一時ＩＤとを含む。前記選択モジュールは、前記第２一時ＩＤを用いて、前記ネットワークノードを、前記ＵＥから前記第２ＲＡＮにアクセスするネットワークノードとして選択することに用いられる。よって、前記アグリゲートノードは、ＵＥのコンテキスト情報を前記第２一時ＩＤに関連付けて管理する。
【００３８】
本開示の実施例によるコアネットワークノードは、割当モジュールと送信モジュールを含む。割当モジュールは、ＵＥが第１ＲＡＮにアクセスする場合、前記コアネットワークノードのＩＤ情報が含まれる一時ＩＤを前記ＵＥに割り当てることに用いられる。送信モジュールは、前記ＵＥに前記一時ＩＤを送信することに用いられる。よって、前記ＵＥは、前記一時ＩＤを保存する。前記ＵＥは、前記第１ＲＡＮの接続を保持しながら接続確立要求を第２ＲＡＮに送信する。前記一時ＩＤが前記接続確立要求に含まれることから、前記第二ＲＡＮは、前記コアネットワークノードを、前記ＵＥから前記第２ＲＡＮにアクセスするコアネットワークノードとして選択する。
【００３９】
選択可能に、前記送信モジュールは、前記一時ＩＤをアグリゲートノードに送信することに用いられる。よって、前記アグリゲートノードは、前記一時ＩＤと前記アグリゲートノードのＩＤ情報を前記ＵＥに送信する。前記アグリゲートノードは、前記第１ＲＡＮで前記ＵＥと前記コアネットワークノードとの接続が確立されるアグリゲートノードである。
【００４０】
選択可能に、前記コアネットワークノードは、受信モジュールをさらに含む。受信モジュールは、前記アグリゲートノードから、前記ＵＥが前記第１ＲＡＮで確立する前記アグリゲートノードと前記コアネットワークノードとのインタフェースを介して伝送され、前記ＵＥから前記第２ＲＡＮで送信されるメッセージを受信することに用いられる。
【００４１】
選択可能に、前記一時ＩＤは、第１一時ＩＤである。前記アグリゲートノードのＩＤ情報は、前記アグリゲートノードから前記ＵＥに割り当てられる第２一時ＩＤである。前記第２一時ＩＤは、前記アグリゲートノードのＩＤ情報を含む。
【００４２】
本開示の実施例によるアグリゲートノードは、ＵＥが第１ＲＡＮにアクセスする場合にコアネットワークノードから前記ＵＥに割り当てられ、前記コアネットワークノードのＩＤ情報が含まれる一時ＩＤを、コアネットワークノードから受信することに用いられる第１受信モジュールと、前記ＵＥが前記第１ＲＡＮで前記アグリゲートノードと前記コアネットワークノードとの接続を確立するべく、前記一時ＩＤと前記アグリゲートノードのＩＤ情報を前記ＵＥに送信することに用いられる送信モジュールと、前記第１ＲＡＮの接続を保持する前記ＵＥから前記第２ＲＡＮに接続確立要求を送信する場合に第２ＲＡＮから送信される接続確立要求を受信することに用いられる第２受信モジュールと、ＵＥのコンテキスト情報を接続確立要求に関連付けて管理することに用いられる管理モジュールとを含む。
【００４３】
選択可能に、前記アグリゲートノードは、伝送モジュールをさらに含む。伝送モジュールは、前記ＵＥが前記第１ＲＡＮで確立する前記アグリゲートノードと前記コアネットワークノードとのインタフェースを介して、前記ＵＥから前記第２ＲＡＮで送信されるメッセージを伝送することに用いられる。
【００４４】
選択可能に、前記第２ＲＡＮから送信される接続確立要求は、前記ＩＤ情報と前記一時ＩＤを含む。前記管理モジュールは、ＵＥのコンテキスト情報を前記一時ＩＤに関連付けて管理することに用いられる。
【００４５】
選択可能に、前記一時ＩＤは、第１一時ＩＤである。前記アグリゲートノードは、前記ＵＥに第２一時ＩＤを割り当てることに用いられる割当モジュールをさらに含む。前記アグリゲートノードのＩＤ情報は、前記第２一時ＩＤである。前記第２一時ＩＤは、前記アグリゲートノードのＩＤ情報を含む。
【００４６】
選択可能に、前記第２ＲＡＮから送信される接続確立要求は、前記第１一時ＩＤと前記第２一時ＩＤを含む。前記管理モジュールは、ＵＥのコンテキスト情報を前記第２一時ＩＤに関連付けて管理することに用いられる。
【００４７】
本開示の実施例によるネットワークアクセスシステムは、コアネットワークノードと、ＵＥと、第２ＲＡＮのＲＡＮノードとを含む。前記コアネットワークノードは、ＵＥが第１ＲＡＮにアクセスする場合、前記コアネットワークノードのＩＤ情報が含まれる一時ＩＤを前記ＵＥに割り当てて送信することに用いられる。前記ＵＥは、前記一時ＩＤを保存し、前記一時ＩＤが含まれる接続確立要求を、前記第１ＲＡＮの接続を保持しながら第２ＲＡＮに送信することに用いられる。前記第２ＲＡＮのＲＡＮノードは、前記一時ＩＤを用いて、前記コアネットワークノードを、前記ＵＥから前記第２ＲＡＮにアクセスするコアネットワークノードとして選択することに用いられる。
【００４８】
本開示の実施例による別のネットワークアクセスシステムは、コアネットワークノードと、アグリゲートノードと、ＵＥと、第２ＲＡＮのＲＡＮノードとを含む。前記コアネットワークノードは、ＵＥが第１ＲＡＮにアクセスする場合、前記コアネットワークノードのＩＤ情報が含まれる一時ＩＤを前記ＵＥに割り当て、前記一時ＩＤをアグリゲートノードに送信することに用いられる。前記アグリゲートノードは、前記ＵＥが前記第１ＲＡＮで前記アグリゲートノードと前記コアネットワークノードとの接続を確立するべく、前記一時ＩＤと前記アグリゲートノードのＩＤ情報を前記ＵＥに送信することに用いられる。前記ＵＥは、前記一時ＩＤと前記ＩＤ情報を保存し、前記一時ＩＤと前記ＩＤ情報が含まれる接続確立要求を、前記第１ＲＡＮの接続を保持しながら第２ＲＡＮに送信することに用いられる。前記第２ＲＡＮのＲＡＮノードは、前記ＩＤ情報を用いて、前記アグリゲートノードを、前記ＵＥから前記第２ＲＡＮにアクセスするアグリゲートノードとして選択することに用いられる。
【発明の効果】
【００４９】
本開示の実施例において、ＵＥは、第１ＲＡＮにアクセスするネットワークノードのＩＤ情報を保存する。前記ＵＥは、前記第１ＲＡＮの接続を保持しながら、接続確立要求を第２ＲＡＮに送信する。前記ネットワークノードのＩＤ情報が前記接続確立要求に含まれることから、前記第２ＲＡＮから前記ＵＥに対し、前記ネットワークノードを、前記ＵＥから前記第２ＲＡＮにアクセスするネットワークノードとして選択する。よって、ＵＥは、同時に２つのＲＡＮ経由でネットワークに滞在する。
【図面の簡単な説明】
【００５０】
【図１ａ】本開示の実施例によるネットワーク構造図である。
【図１ｂ】本開示の実施例による別のネットワーク構造図である。
【図２】本開示の実施例によるネットワークアクセス方法のフローチャートである。
【図３】本開示の実施例による別のネットワークアクセス方法の模式図である。
【図４】本開示の実施例による別のネットワークアクセス方法の模式図である。
【図５】本開示の実施例による別のネットワークアクセス方法の模式図である。
【図６】本開示の実施例による別のネットワークアクセス方法の模式図である。
【図７】本開示の実施例による別のネットワークアクセス方法の模式図である。
【図８】本開示の実施例による別のネットワークアクセス方法の模式図である。
【図９】本開示の実施例によるネットワークアクセス方法のフローチャートである。
【図１０】本開示の実施例によるネットワークアクセス方法のフローチャートである。
【図１１】本開示の実施例によるネットワークアクセス方法のフローチャートである。
【図１２】本開示の実施例によるＵＥの構造図である。
【図１３】本開示の実施例によるＲＡＮノードの構造図である。
【図１４】本開示の実施例によるコアネットワークノードの構造図である。
【図１５】本開示の実施例による別のネットワークノードの構造図である。
【図１６】本開示の実施例によるアグリゲートノードの構造図である。
【図１７】本開示の実施例による別のアグリゲートノードの構造図である。
【図１８】本開示の実施例による別のアグリゲートノードの構造図である。
【図１９】本開示の実施例による別のＵＥの構造図である。
【図２０】本開示の実施例による別のＲＡＮノードの構造図である。
【図２１】本開示の実施例による別のコアネットワークノードの構造図である。
【図２２】本開示の実施例による別のアグリゲートノードの構造図である。
【図２３】本開示の実施例によるネットワークアクセスシステムの構造図である。
【図２４】本開示の実施例による別のネットワークアクセスシステムの構造図である。
【発明を実施するための形態】
【００５１】
本開示の解決しようとする技術課題、技術手段および利点について、さらに明確化するために、以下、図面および具体的な実施例を参照して詳細に記載する。
【００５２】
図１ａを参照する。図１ａは、本開示の実施例によるネットワーク構造図である。図１ａに示されているように、ＵＥ１１と、第１ＲＡＮノード１２と、第２ＲＡＮノード１３と、コアネットワークノード１４が含まれている。ここで、ＵＥ１１は、携帯電話、タブレット型パソコン（Ｔａｂｌｅｔ  Ｐｅｒｓｏｎａｌ  Ｃｏｍｐｕｔｅｒ）、ラップトップ型パソコン（Ｌａｐｔｏｐ  Ｃｏｍｐｕｔｅｒ）、パーソナルデジタルアシスタント（ｐｅｒｓｏｎａｌ  ｄｉｇｉｔａｌ  ａｓｓｉｓｔａｎｔ：ＰＤＡ）、モバイルインターネットデバイス（Ｍｏｂｉｌｅ  Ｉｎｔｅｒｎｅｔ  Ｄｅｖｉｃｅ：ＭＩＤ）またはウェアラブルデバイス（Ｗｅａｒａｂｌｅ  Ｄｅｖｉｃｅ）などの端末機器である。本開示の実施例では、ＵＥ１１の具体的な種類が限定されない。ここで、上記第１ＲＡＮノード１２は、第１ＲＡＮのＲＡＮノードであり、例えば基地局またはＲＡＮ機器である。第１ＲＡＮは、５Ｇ  ＲＡＮである。本開示の実施例では、第１ＲＡＮノード１２の具体的な種類が限定されない。上記第２ＲＡＮノード１３は、第２ＲＡＮのＲＡＮノードであり、例えば基地局またはＲＡＮ機器である。第２ＲＡＮは、Ｅ−ＵＴＲＡＮ（Ｅｖｏｌｖｅｄ  ＵＭＴＳ  Ｔｅｒｒｅｓｔｒｉａｌ  Ｒａｄｉｏ  Ａｃｃｅｓｓ  Ｎｅｔｗｏｒｋ）である。なお、本開示の実施例では、第２ＲＡＮノード１３の具体的な種類が限定されない。コアネットワークノード１４は、コアネットワークの制御プレーンノードである。本開示の実施例では、コアネットワークノード１４の具体的な種類が限定されない。
【００５３】
また、一部のシーンでは、図１ｂに示されているように、上記ネットワーク構造には、コアネットワークノード１４と第１ＲＡＮノード１２との間、およびコアネットワークノード１４と第２ＲＡＮノード１３との間に接続されるアグリゲートノード１５をさらに含んでもよい。アグリゲートノード１５は、あらゆるネットワーク側機器であってもよく、その具体的な種類が本開示の実施例において限定されない。また、本実施例において、コアネットワークノード１４、アグリゲートノード１５は、複数存在してもよい。１つのコアネットワークノード１４、アグリゲートノード１５を図示して例示しているが、これについて限定しない。
【００５４】
図１に示すネットワーク構造に基づき、本開示の実施例によるネットワークアクセス方法は、図２に示されているように、下記ステップを含む。ステップ２０１において、ＵＥは、第１ＲＡＮにアクセスするネットワークノードのＩＤ情報を保存する。ステップ２０２において、ＵＥは、前記第１ＲＡＮの接続を保持しながら接続確立要求を第２ＲＡＮに送信する。前記ネットワークノードのＩＤ情報が前記接続確立要求に含まれることから、前記第２ＲＡＮから前記ＵＥに対し、前記ネットワークノードを、前記ＵＥから前記第２ＲＡＮにアクセスするネットワークノードとして選択する。
【００５５】
本実施例において、上記ネットワークノードは、ＵＥが上記第１ＲＡＮにアクセスするときにアクセスするネットワークノードである。また、上記ネットワークノードのＩＤ情報は、上記ＵＥが第１ＲＡＮにアクセスするときに受信して保存するものである。また、上記ネットワークノードは、コアネットワークノードであるか、コアネットワークノードとアグリゲートノードである。上記ＵＥが前記第１ＲＡＮの接続を保持しながら接続確立要求を送信することは、ＵＥが第１ＲＡＮ経由でネットワークに滞在すると同時に、第２ＲＡＮに接続確立要求を送信すると理解してもよい。このように、ＵＥは、同時に第１ＲＡＮと第２ＲＡＮ経由でネットワークに滞在する。また、上記接続確立要求は、例えば無線リソース制御（ＲＲＣ：Ｒａｄｉｏ  Ｒｅｓｏｕｒｃｅ  Ｃｏｎｔｒｏｌ）接続確立要求などのシグナリング接続要求であり、すなわち第２ＲＡＮとのＲＲＣ接続の確立を要求する。なお、本実施例における接続要求は、いずれもシグナリング接続要求であるが、これに対し限定しない。このように、上記接続確立要求によれば、上記第２ＲＡＮは、上記ネットワークノードを、ＵＥから前記第２ＲＡＮにアクセスするネットワークノードとして選択する。このように、ＵＥから、第２ＲＡＮにアクセスするネットワークノードと第１ＲＡＮにアクセスするネットワークノードとは同一であり、例えば、同一のコアネットワークノードにアクセスする。また、本実施例において、第２ＲＡＮは、第２ＲＡＮのＲＡＮノードとして理解してもよい。
【００５６】
選択可能に、上記ネットワークノードは、コアネットワークノードを含む。前記ＵＥが前記第１ＲＡＮにアクセスするときに、前記コアネットワークノードのＩＤ情報が含まれる一時ＩＤは、前記コアネットワークノードから前記ＵＥに割り当てられる。ステップ２０１において、前記ＵＥが前記一時ＩＤを受信して保存することを含む。
【００５７】
上記一時ＩＤは、上記ＵＥが第１ＲＡＮ経由で上記コアネットワークノードにアクセスする場合、コアネットワークノードから割り当てられる一時ＩＤとして理解してもよい。よって、上記ＵＥは、第１ＲＡＮでコアネットワークノードにアクセスする。また、上記ＵＥが前記第１ＲＡＮにアクセスする場合とは、上記ＵＥが第１ＲＡＮ経由でコアネットワークにアクセスすると理解してもよい。例えば、５Ｇ  ＲＡＮである第１ＲＡＮを例として説明する。図３に示されているように、ＵＥは、ステップ３０１で５Ｇ  ＲＡＮにアクセスして登録プロセスを起こして、コアネットワークに登録する。コアネットワーク制御プレーンノードは、ステップ３０２でＵＥに対し一時ＩＤを割り当て、フィードバックするＮＡＳメッセージに含ませる。５Ｇ  ＲＡＮノードは、ステップ３０３でＵＥに一時ＩＤを送信してＲＲＣプロセスを完成する。ＵＥは、ステップ３０４で５Ｇ  ＲＡＮノードにＲＲＣ応答をフィードバックし、かつ５Ｇ  ＲＡＮは、ステップ３０５で５Ｇのコアネットワーク制御プレーンノードに応答メッセージをフィードバックする。上記ステップによれば、上記ＵＥは、５Ｇ  ＲＡＮ経由でコアネットワークにアクセスし、コアネットワークから割り当てられる一時ＩＤを取得する。
【００５８】
また、上記接続確立要求に上記一時ＩＤが含まれるため、第２ＲＡＮは、当該一時ＩＤを用いて、上記コアネットワークノードを、ＵＥから前記第２ＲＡＮにアクセスするネットワークノードとして選択する。例えば、第２ＲＡＮは、上記一時ＩＤおよび／または上記ＵＥのＩＤ、例えば、ＵＥのＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｆｉｃａｔｉｏｎ  Ｎｕｍｂｅｒ）が含まれる接続確立要求を上記コアネットワークノードに送信する。よって、第２ＲＡＮと上記コアネットワークノードとの接続が確立され、すなわちＵＥは、第２ＲＡＮでコアネットワークにアクセスする。例えば、Ｅ−ＵＴＲＡＮである第２ＲＡＮを例として当該実施形態を例示する。図４に示されているように、ＵＥは、ステップ４０１でＥ−ＵＴＲＡＮとのＲＲＣ接続を確立し、すなわちＥ−ＵＴＲＡＮノードに上記第１接続確立要求を送信する。当該ステップにおいて、ＵＥは、第１ＲＡＮにアクセスしてコアネットワークノードから割り当てられる一時ＩＤに基づいて、コアネットワークノードのＩＤ情報を取得する。すると、ステップ４０１のメッセージには、コアネットワークノードのＩＤ情報が含まれる。または、当該メッセージには、上記一時ＩＤおよび／または前記ＵＥのＩＭＳＩであるＵＥのＩＤが含まれる。Ｅ−ＵＴＲＡＮノードは、上記メッセージを受信すると、コアネットワークノードのＩＤ情報または上記一時ＩＤを用いて上記コアネットワークノードを選択し、ステップ４０２で接続確立要求をコアネットワークノードに送信し、すなわち上記第２接続確立要求を送信する。ここで、当該接続確立要求は、ＮＡＳメッセージであり、かつＵＥのＩＤまたは上記一時ＩＤを含む。コアネットワークノードは、当該接続確立要求を受信すると、ＵＥの第１アクセスネットワークと第２アクセスネットワークでのコンテキスト情報を、ＵＥのＩＤまたは上記一時ＩＤに関連付けて管理し、ステップ４０３でＥ−ＵＴＲＡＮノードに応答メッセージをフィードバックする。上記ステップによれば、ＵＥは、第２ＲＡＮでコアネットワークにアクセスする。
【００５９】
選択可能に、上記ネットワークノードは、コアネットワークノードと、アグリゲートノードを含む。前記ＵＥが前記第１ＲＡＮにアクセスする場合、前記コアネットワークノードのＩＤ情報が含まれる一時ＩＤは、前記コアネットワークノードから前記ＵＥに割り当てられる。ステップ２０１は、前記ＵＥが前記一時ＩＤと前記アグリゲートノードのＩＤ情報を受信して保存することを含む。前記アグリゲートノードは、前記第１ＲＡＮで前記ＵＥと前記コアネットワークノードとの接続が確立されるアグリゲートノードである。
【００６０】
ここで、前記アグリゲートノードは、前記第１ＲＡＮで前記ＵＥと前記コアネットワークノードとの接続が確立されるアグリゲートノードであるとは、ＵＥが第１ＲＡＮにアクセスし、すなわちＵＥが第１ＲＡＮ経由でコアネットワークにアクセスする場合、第１ＲＡＮとコアネットワークノードとを接続するアグリゲートノードであって、すなわち上記アグリゲートノードが第１ＲＡＮとコアネットワークノードとの間に接続されると理解してもよい。当該実施形態において、アグリゲートノードのＩＤ情報によれば、ＵＥが第２ＲＡＮ経由でコアネットワークにアクセスする場合、第２ＲＡＮは、上記アグリゲートノードを、コアネットワークノードに接続するアグリゲートノードとして選択する。このように、ＵＥから第１ＲＡＮ、第２ＲＡＮで接続するアグリゲートノード、コアネットワークノードは、同一である。
【００６１】
選択可能に、上記実施形態において、上記アグリゲートノードのＩＤ情報は、前記アグリゲートノードが前記コアネットワークノードから前記一時ＩＤを受信して前記ＵＥに送信するものであり、かつ、前記アグリゲートノードは、前記ＵＥのコンテキスト情報を前記一時ＩＤに関連付けて管理する。
【００６２】
当該実施形態において、コアネットワークノードは、アグリゲートノードに一時ＩＤを送信し、アグリゲートノードは、当該一時ＩＤを保存してアグリゲートノードのＩＤ情報をＵＥに送信し、ＵＥのコンテキスト情報を上記一時ＩＤに関連付けて管理する。ここで、当該コンテキスト情報は、ＵＥの第１ＲＡＮと第２ＲＡＮでのコンテキスト情報を含む。例えば、５Ｇ  ＲＡＮである第１アクセスネットワークを例として説明する。図５に示されているように、ＵＥは、ステップ５０１で５Ｇ  ＲＡＮ経由でネットワークに登録プロセスを実行する。コアネットワークノードは、ＵＥに一時ＩＤを割り当て、ステップ５０２の接続確立要求、すなわち第３接続確立要求によって当該一時ＩＤをアグリゲートノードに送信する。当該接続確立要求は、ＮＡＳメッセージである。アグリゲートノードは、当該一時ＩＤを保存し、コアネットワークノードからＵＥに割り当てられる一時ＩＤを受信すると、ＵＥのコンテキスト情報を当該一時ＩＤに関連付けて管理する。アグリゲートノードは、さらにアグリゲートノードのＩＤ情報と上記一時ＩＤをＵＥに送信する。アグリゲートノードは、５Ｇ  ＲＡＮノード経由でＵＥにトランスペアレント伝送してもよく、ステップ５０３で５Ｇ  ＲＡＮノードに送信してもよい。５Ｇ  ＲＡＮノードは、ステップ５０４でアグリゲートノードのＩＤ情報と上記一時ＩＤをＵＥに送信する。ＵＥは、アグリゲートノードのＩＤ情報とコアネットワークから割り当てられる一時ＩＤを保存する。また、ＵＥから、ステップ５０５〜５０７によって応答メッセージをコアネットワークノードへフィードバックしてもよい。上記ステップによれば、ＵＥは、第１ＲＡＮにアクセスし、上記一時ＩＤとアグリゲートノードのＩＤ情報を保存する。
【００６３】
選択可能に、上記実施形態において、上記接続確立要求には、前記アグリゲートノードのＩＤ情報と前記一時ＩＤを含む。よって、前記第２ＲＡＮは、前記アグリゲートノードを、前記ＵＥから前記第２ＲＡＮにアクセスするアグリゲートノードとして選択する。前記アグリゲートノードは、ＵＥのコンテキスト情報を前記一時ＩＤに関連付けて管理し、そして、前記ＵＥが前記第１ＲＡＮで確立する前記アグリゲートノードと前記コアネットワークノードとのインタフェースを介して、前記ＵＥから前記第２ＲＡＮで送信されるメッセージを伝送する。
【００６４】
当該実施形態において、第２ＲＡＮは、上記ＩＤ情報と一時ＩＤを受信すると、当該ＩＤ情報を用いて、上記アグリゲートノードを、ＵＥから第２ＲＡＮにアクセスするアグリゲートノードとして選択する。具体的には、第２ＲＡＮは、当該アグリゲートノードを選択する場合、当該アグリゲートノードに接続確立要求を送信してアグリゲートノードとの接続を確立する。当該要求には、上記一時ＩＤが含まれる。このように、前記アグリゲートノードは、ＵＥのコンテキスト情報を前記一時ＩＤに関連付けて管理し、そして、前記ＵＥが前記第１ＲＡＮで確立する前記アグリゲートノードと前記コアネットワークノードとのインタフェースを介して、前記ＵＥから前記第２ＲＡＮで送信されるメッセージを伝送する。ここで、上記アグリゲートノードと前記コアネットワークノードとのインタフェースとは、ＵＥが第１ＲＡＮでコアネットワークにアクセスする場合、上記コアネットワークノードとアグリゲートノードで確立される接続のインタフェースと理解してもよい。このように、ＵＥが第２ＲＡＮでネットワークにアクセスする場合、別途インタフェースを確立する必要がなく、直接ＵＥが第１ＲＡＮで確立するアグリゲートノードとコアネットワークノードとのインタフェースを使用すればよい。ＵＥから第１ＲＡＮ、第２ＲＡＮにアクセスするアグリゲートノード、コアネットワークノードが同一であるため、ネットワークリソースの節約ができる。例えば、Ｅ−ＵＴＲＡＮである第２ＲＡＮを例として説明する。図６に示されているように、ＵＥは、ステップ６０１でＥ−ＵＴＲＡＮシステムでシグナリング接続を確立し、すなわちＥ−ＵＴＲＡＮノードに第１接続確立要求を送信する。ここで、当該接続確立要求は、ＲＲＣ接続確立要求であり、すなわちＲＲＣメッセージである。当該メッセージには、ＵＥが第１ＲＡＮにアクセスする場合に保存する上記一時ＩＤとアグリゲートノードのＩＤ情報が含まれる。Ｅ−ＵＴＲＡＮノードは、ステップ６０２でアグリゲートノードのＩＤ情報を用いてアグリゲートノードを選択し、ステップ６０３で当該アグリゲートノードに接続確立を起こし、すなわちアグリゲートノードに接続確立要求を送信する。当該接続確立要求には、コアネットワークノードからＵＥに割り当てられる一時ＩＤが含まれる。アグリゲートノードは、さらにステップ６０４で、コアネットワークノードからＵＥに割り当てられる一時ＩＤに基づいて、ＵＥのコンテキスト情報を取得する。ここで、コンテキスト情報は、ＵＥの前記第１ＲＡＮと前記第２ＲＡＮでのコンテキスト情報である。そして、アグリゲートノードは、ＵＥが第１ＲＡＮにアクセスする場合に確立するアグリゲートノードからコアネットワーク制御プレーンノードへの接続を介して、メッセージをコアネットワークノードに伝送する。例えば、取得したコンテキスト情報をコアネットワークノードに送信する。または、ＵＥから前記第２ＲＡＮで送信される情報をコアネットワークノードに伝送する。アグリゲートノードは、さらにステップ６０５でコアネットワークノードに接続確立を送信する。しかも、コアネットワークノードからＵＥへは、ステップ６０６〜６０８によって応答メッセージがフィードバックされる。上記ステップによれば、ＵＥは、第２ＲＡＮにアクセスする。
【００６５】
当該実施形態において、コアネットワークノードからＵＥに一時ＩＤを割り当て、アグリゲートノードからアグリゲートノードのＩＤ情報をＵＥに送信することによって、ＵＥが同時に第１ＲＡＮと第２ＲＡＮに滞在する場合に、同一のコアネットワークノードとアグリゲートノードをＵＥに対し選択するため、ＵＥの情報を効果的に管理する。
【００６６】
選択可能に、上記一時ＩＤは、第１一時ＩＤである。ステップ２０１は、前記ＵＥが前記第１一時ＩＤと、第２一時ＩＤを受信して保存することを含む。前記第２一時ＩＤは、前記アグリゲートノードから前記ＵＥに割り当てられる一時ＩＤであって、かつ前記アグリゲートノードのＩＤ情報が含まれる。
【００６７】
ここで、上記第２一時ＩＤは、ＵＥが第１ＲＡＮにアクセスする場合に、アグリゲートノードがコアネットワークノードから送信される上記第１一時ＩＤを受信して上記ＵＥに割り当てる一時ＩＤである。かつ第１一時ＩＤと第２一時ＩＤは、アグリゲートノードから上記ＵＥに送信される。例えば、５Ｇ  ＲＡＮである第１アクセスネットワークを例として説明する。図７に示されているように、ＵＥは、ステップ７０１で５Ｇ  ＲＡＮ経由でネットワークに登録プロセスを実行する。コアネットワークノードは、ＵＥに一時ＩＤ（第１一時ＩＤ）を割り当て、ステップ７０２で接続確立要求によって、すなわち当該接続確立要求によって当該一時ＩＤをアグリゲートノードに送信する。当該接続確立要求は、ＮＡＳメッセージである。アグリゲートノードは、ＵＥに一時ＩＤ（第２一時ＩＤ）を割り当てる。アグリゲートノードからＵＥに割り当てる一時ＩＤには、アグリゲートノードのＩＤ情報が含まれる。アグリゲートノードは、さらにＵＥのコンテキストを当該一時ＩＤに関連付けて管理する。アグリゲートノードは、ＵＥに割り当てる一時ＩＤをＵＥに伝送し、コアネットワークノードは、ＵＥに割り当てる一時情報をＵＥに伝送する。ここで、当該２つの一時ＩＤは、アグリゲートノードから５Ｇ  ＲＡＮノード経由でＵＥにトランスペアレント伝送してもよく、ステップ７０３で５Ｇ  ＲＡＮノードに伝送してもよい。５Ｇ  ＲＡＮノードは、ステップ７０４で当該２つの一時ＩＤをＵＥに送信する。ＵＥは、アグリゲートノードから割り当てられる一時ＩＤとコアネットワークノードから割り当てられる一時ＩＤを保存する。ＵＥからコアネットワークノードへは、ステップ７０５〜７０７によって応答メッセージがフィードバックされる。上記ステップによれば、ＵＥは、第１ＲＡＮにアクセスし、第１一時ＩＤと第２一時ＩＤを保存する。
【００６８】
選択可能に、上記実施形態において、前記接続確立要求には、前記第１一時ＩＤと前記第２一時ＩＤが含まれる。よって、前記第２ＲＡＮは、前記アグリゲートノードを、前記ＵＥが前記第２ＲＡＮにアクセスするアグリゲートノートとして選択し、前記第２一時ＩＤを前記アグリゲートノードに送信する。前記アグリゲートノードは、ＵＥのコンテキスト情報を前記第２一時ＩＤに関連付けて管理する。
【００６９】
当該実施形態において、第２ＲＡＮは、上記第１一時ＩＤと第２一時ＩＤを取得すると、第２一時ＩＤを用いて、上記アグリゲートノードを、ＵＥから第２ＲＡＮにアクセスするアグリゲートノートとして選択する。具体的には、第２ＲＡＮは、当該アグリゲートノードを選択する場合、当該アグリゲートノードに接続−接続要求を送信してアグリゲートノードとの接続を確立する。かつ当該要求には、上記第１一時ＩＤと第２一時ＩＤが含まれる。このように、前記アグリゲートノードは、ＵＥのコンテキスト情報を前記第１一時ＩＤに関連付けて管理する。アグリゲートノードは、さらに上記第１一時ＩＤを用いて、前記ＵＥが前記第１ＲＡＮで確立する前記アグリゲートノードと前記コアネットワークノードとのインタフェースを介して、前記ＵＥから前記第２ＲＡＮで送信されるメッセージを伝送する。例えば、Ｅ−ＵＴＲＡＮである第２ＲＡＮを例として説明する。図８に示されているように、ＵＥは、ステップ８０１でＥ−ＵＴＲＡＮシステムで接続を確立し、すなわちＥ−ＵＴＲＡＮノードに第１接続−接続要求を送信する。ここで、当該接続−接続要求は、ＲＲＣ接続確立要求であり、すなわちＲＲＣメッセージである。当該メッセージには、ＵＥが第１ＲＡＮにアクセスする場合に保存し、コアネットワークノードから割り当てられる一時ＩＤ（第１一時ＩＤ）とアグリゲートノードから割り当てられる一時ＩＤ（第２一時ＩＤ）が含まれる。Ｅ−ＵＴＲＡＮノードは、ステップ８０２で、アグリゲートノードからＵＥに割り当てられる一時ＩＤに基づいて、ＵＥが第１ＲＡＮに滞在するアグリゲートノードを取得する。Ｅ−ＵＴＲＡＮノードは、ステップ８０３で、アグリゲートノードにシグナリング接続確立メッセージを送信し、すなわちアグリゲートノードに第２接続確立要求を送信する。当該メッセージには、アグリゲートノードからＵＥに割り当てられる一時ＩＤと、コアネットワークノードからＵＥに割り当てられる一時ＩＤが含まれる。アグリゲートノードは、ステップ８０４で、ＵＥのコンテキスト情報をＵＥの一時ＩＤに関連付けて管理し、ＵＥが第１ＲＡＮにアクセスする場合に確立するアグリゲートノードからコアネットワーク制御プレーンノードへの接続を介して、メッセージをコアネットワークノードに伝送する。アグリゲートノードは、ステップ８０５で、コアネットワーク制御プレーンノードにシグナリング接続確立を送信する。かつコアネットワークノードからＵＥへは、ステップ８０６〜８０８によって応答メッセージがフィードバックされる。上記ステップによれば、ＵＥは、第２ＲＡＮでコアネットワークにアクセスし、ＵＥから第１ＲＡＮ、第２ＲＡＮにアクセスするアグリゲートノード、コアネットワークノードが同一である。
【００７０】
なお、本実施例において、以上紹介した多種類の選択可能な実施形態は、互いに組み合わせて実現してもよく、独立に実現してもよいが、これについて限定しない。
【００７１】
本実施例において、ＵＥは、第１ＲＡＮにアクセスするネットワークノードのＩＤ情報を保存する。前記ＵＥは、前記第１ＲＡＮの接続を保持しながら、接続確立要求を第２ＲＡＮに送信する。前記ネットワークノードのＩＤ情報が前記接続確立要求に含まれることから、前記第２ＲＡＮから前記ＵＥに対し、前記ネットワークノードを、前記ＵＥから前記第２ＲＡＮにアクセスするネットワークノードとして選択する。よって、ＵＥは、同時に２つのＲＡＮ経由でネットワークに滞在する。
【００７２】
図１に示すネットワーク構造に基づき、本開示の実施例による別のネットワークアクセス方法において、図９に示されているように、下記ステップを含む。ステップ９０１において、第２ＲＡＮのＲＡＮノードは、ＵＥから送信される接続確立要求を受信する。前記接続確立要求は、前記ＵＥが第１ＲＡＮの接続を保持しながら送信され、かつ前記ＵＥから前記第１ＲＡＮにアクセスするネットワークノードのＩＤ情報が含まれる。ステップ９０２において、ＲＡＮノードは、前記ＩＤ情報を用いて、前記ネットワークノードを、前記ＵＥから前記第２ＲＡＮにアクセスするネットワークノードとして選択する。
【００７３】
ここで、上記ネットワークノードとＩＤ情報は、図２に示す実施例における関連説明を参照してもよい。また、ステップ９０２で上記ネットワークノードの選択は、図２に示す実施例における関連説明を参照してもよく、例えば、ＲＡＮノードは、上記ネットワークノードを選択して当該ネットワークノードとの接続を確立することによって、ＵＥは、第２ＲＡＮで上記ネットワークノードにアクセスする。ここでは繰り返して記載しない。
【００７４】
選択可能に、上記ネットワークノードは、コアネットワークノードを含む。前記ＵＥが前記第１ＲＡＮにアクセスする場合、前記コアネットワークノードのＩＤ情報が含まれる一時ＩＤは、前記コアネットワークノードから前記ＵＥに割り当てられる。前記接続確立要求に前記一時ＩＤが含まれる。
【００７５】
当該実施形態において、ＲＡＮは、上記コアネットワークノードを選択して、上記ＵＥが前記第２ＲＡＮにアクセスするコアネットワークノードとする。しかも、当該実施形態は、図２に示す実施例における関連説明を参照してもよく、ここでは繰り返して記載しない。
【００７６】
選択可能に、上記ネットワークノードは、コアネットワークノードと、前記第１ＲＡＮで前記ＵＥと前記コアネットワークノードとの接続が確立されるアグリゲートノードを含む。前記ＵＥが前記第１ＲＡＮにアクセスする場合、前記コアネットワークノードのＩＤ情報が含まれる一時ＩＤは、前記コアネットワークノードから前記ＵＥに割り当てられる。前記接続確立要求に前記アグリゲートノードのＩＤ情報と前記一時ＩＤが含まれる。
【００７７】
当該実施形態において、上記一時ＩＤと上記ＩＤ情報は、図２に示す実施例における関連説明を参照してもよく、ここでは繰り返して記載しない。
【００７８】
選択可能に、上記実施形態において、上記ステップ９０２は、前記ＲＡＮノードが、前記アグリゲートノードのＩＤ情報を用いて、前記アグリゲートノードを、前記ＵＥから前記第２ＲＡＮにアクセスするアグリゲートノードとして選択することを含む。よって、前記アグリゲートノードは、ＵＥのコンテキスト情報を前記一時ＩＤに関連付けて管理し、そして、前記ＵＥから前記第２ＲＡＮで送信されるメッセージを、前記ＵＥが前記第１ＲＡＮで確立する前記アグリゲートノードと前記コアネットワークノードとのインタフェースを介して伝送する。
【００７９】
当該実施形態において、上記アグリゲートノードの選択は、図２に示す実施例における関連説明を参照してもよく、例えば、ＲＡＮノードは、上記アグリゲートノードを選択する場合、上記一時ＩＤが含まれる接続確立要求を当該アグリゲートノードに送信してアグリゲートノードとの接続を確立する。ここでは繰り返して記載しない。
【００８０】
選択可能に、上記実施形態において、上記一時ＩＤは、第１一時ＩＤである。前記接続確立要求は、前記第１一時ＩＤと、前記アグリゲートノードから前記ＵＥに割り当てられかつ前記アグリゲートノードのＩＤ情報が含まれる第２一時ＩＤとを含む。ステップ９０２は、前記ＲＡＮノードが、前記第２一時ＩＤを用いて、前記ネットワークノードを、前記ＵＥから前記第２ＲＡＮにアクセスするネットワークノードとして選択することを含む。よって、前記アグリゲートノードは、ＵＥのコンテキスト情報を前記第２一時ＩＤに関連付けて管理する。
【００８１】
当該実施形態において、上記アグリゲートノードの選択は、図２に示す実施例における関連説明を参照してもよく、例えば、ＲＡＮノードは、上記アグリゲートノードを選択する場合、上記第２一時ＩＤと第１一時ＩＤが含まれる接続確立要求を、当該アグリゲートノードに送信してアグリゲートノードとの接続を確立する。ここでは繰り返して記載しない。
【００８２】
本実施例において、第２ＲＡＮのＲＡＮノードは、ＵＥから送信される接続確立要求を受信する。前記接続確立要求は、前記ＵＥが第ＲＡＮの接続を保持しながら送信され、かつ前記ＵＥから前記第１ＲＡＮにアクセスするネットワークノードのＩＤ情報が含まれる。前記ＲＡＮノードは、前記ＩＤ情報を用いて、前記ネットワークノードを、前記ＵＥから前記第２ＲＡＮにアクセスするネットワークノードとして選択する。このように、ＵＥは、同時に第１ＲＡＮと第２ＲＡＮ経由でネットワークに滞在する。
【００８３】
図１に示すネットワーク構造に基づき、本開示の実施例による別のネットワークアクセス方法は、図１０に示されているように、下記ステップを含む。ステップ１００１において、ＵＥが第１ＲＡＮにアクセスする場合、コアネットワークノードから、前記コアネットワークノードのＩＤ情報が含まれる一時ＩＤを前記ＵＥに割り当てる。ステップ１００２において、コアネットワークノードから前記ＵＥに前記一時ＩＤを送信する。よって、前記ＵＥは、前記一時ＩＤを保存する。前記ＵＥは、前記第１ＲＡＮの接続を保持しながら、接続確立要求を第２ＲＡＮに送信する。前記一時ＩＤが前記接続確立要求に含まれることから、前記第２ＲＡＮは、前記コアネットワークノードを、前記ＵＥから前記第２ＲＡＮにアクセスするコアネットワークノードとして選択する。
【００８４】
ここで、一時ＩＤとＵＥによる上記コアネットワークノードの選択は、図２に示す実施例における関連説明を参照してもよく、ここでは繰り返して記載しない。
【００８５】
選択可能に、上記コアネットワークノードから前記一時ＩＤを前記ＵＥに送信するステップは、前記一時ＩＤをコアネットワークノードが前記アグリゲートノードに送信することを含む。よって、前記アグリゲートノードは、前記一時ＩＤと前記アグリゲートノードのＩＤ情報を前記ＵＥに送信する。前記アグリゲートノードは、前記第１ＲＡＮで前記ＵＥと前記コアネットワークノードとの接続が確立されるアグリゲートノードである。
【００８６】
当該実施形態において、上記アグリゲートノードとＩＤ情報は、図２に示す実施例における関連説明を参照してもよく、ここでは繰り返して記載しない。
【００８７】
選択可能に、上記方法において、コアネットワークノードは、前記アグリゲートノードから、前記ＵＥが前記第１ＲＡＮで確立する前記アグリゲートノードと前記コアネットワークノードとのインタフェースを介して伝送され、前記ＵＥから前記第２ＲＡＮで送信されるメッセージを受信することをさらに含む。
【００８８】
当該実施形態において、上記インタフェースと伝送メッセージは、図２に示す実施例における関連説明を参照してもよく、ここでは繰り返して記載しない。
【００８９】
選択可能に、上記一時ＩＤは、第１一時ＩＤである。前記アグリゲートノードのＩＤ情報は、前記アグリゲートノードから前記ＵＥに割り当てられる第２一時ＩＤである。前記第２一時ＩＤは、前記アグリゲートノードのＩＤ情報を含む。
【００９０】
当該実施形態において、上記第１一時ＩＤと第２一時ＩＤは、図２に示す実施例における関連説明を参照してもよく、ここでは繰り返して記載しない。
【００９１】
本実施例において、ＵＥが第１ＲＡＮにアクセスする場合、コアネットワークノードから、前記コアネットワークノードのＩＤ情報が含まれる一時ＩＤを前記ＵＥに割り当てる。前記コアネットワークノードは、前記ＵＥに前記一時ＩＤを送信する。よって、前記ＵＥは、前記一時ＩＤを保存する。前記ＵＥは、前記第１ＲＡＮの接続を保持しながら、接続確立要求を第２ＲＡＮに送信する。前記一時ＩＤが前記接続確立要求に含まれることから、前記第２ＲＡＮは、前記コアネットワークノードを、前記ＵＥから前記第２ＲＡＮにアクセスするコアネットワークノードとして選択する。このように、ＵＥは、同時に第１ＲＡＮと第２ＲＡＮ経由でネットワークに滞在する。
【００９２】
図１に示すネットワーク構造に基づき、本開示の実施例による別のネットワークアクセス方法は、図１１に示されているように、下記ステップを含む。ステップ１１０１において、ＵＥが第１ＲＡＮにアクセスする場合にコアネットワークノードから前記ＵＥに割り当てられ、前記コアネットワークノードのＩＤ情報が含まれる一時ＩＤを、アグリゲートノードがコアネットワークノードから受信する。ステップ１１０２において、前記ＵＥが前記第１ＲＡＮで前記アグリゲートノードと前記コアネットワークノードとの接続を確立するべく、前記アグリゲートノードは、前記一時ＩＤと前記アグリゲートノードのＩＤ情報を前記ＵＥに送信する。ステップ１１０３において、アグリゲートノードは、前記第１ＲＡＮの接続を保持する前記ＵＥから前記第２ＲＡＮに接続確立要求を送信する場合に第２ＲＡＮから送信される接続確立要求を受信する。ステップ１１０４において、アグリゲートノードは、ＵＥのコンテキスト情報を接続確立要求に関連付けて管理する。
【００９３】
上記一時ＩＤ、ＩＤ情報および接続確立要求は、図２に示す実施例における関連説明を参照してもよく、ここでは繰り返して記載しない。なお、上記一時ＩＤは、ＵＥが第１ＲＡＮにアクセスする場合に、コアネットワークノードから割り当てられるものであり、アグリゲートノードからＵＥに送信される。したがって、前記一時ＩＤと前記アグリゲートノードのＩＤ情報を前記ＵＥに送信すると、上記ＵＥは、前記第１ＲＡＮで前記アグリゲートノードと前記コアネットワークノードとの接続を確立する。具体的に、図２に示す実施例における関連説明を参照してもよく、ここでは繰り返して記載しない。
【００９４】
選択可能に、上記方法において、前記アグリゲートノードは、前記ＵＥが前記第１ＲＡＮで確立する前記アグリゲートノードと前記コアネットワークノードとのインタフェースを介して、前記ＵＥから前記第２ＲＡＮで送信されるメッセージを伝送するステップをさらに含んでもよい。
【００９５】
当該実施形態において、上記インタフェースと伝送は、図２に示す実施例における関連説明を参照してもよく、ここでは繰り返して記載しない。
【００９６】
選択可能に、上記第２ＲＡＮから送信される接続確立要求は、前記ＩＤ情報と前記一時ＩＤを含む。ステップ１１０４において、前記アグリゲートノードがＵＥのコンテキスト情報を前記一時ＩＤに関連付けて管理することを含む。
【００９７】
ここで、上記ＵＥのコンテキスト情報に対する関連付けおよび管理は、図２に示す実施例における関連説明を参照してもよく、ここでは繰り返して記載しない。
【００９８】
選択可能に、前記一時ＩＤは、第１一時ＩＤである。上記方法は、前記アグリゲートノードから前記ＵＥに第２一時ＩＤを割り当てることをさらに含む。前記アグリゲートノードのＩＤ情報は、前記第２一時ＩＤである。前記第２一時ＩＤは、前記アグリゲートノードのＩＤ情報を含む。
【００９９】
選択可能に、上記実施形態において、前記第２ＲＡＮから送信される接続確立要求は、前記第１一時ＩＤと前記第２一時ＩＤを含む。ステップ１１０４は、前記アグリゲートノードがＵＥのコンテキスト情報を前記第２一時ＩＤに関連付けて管理することを含む。
【０１００】
当該実施形態において、上記第１一時ＩＤと第２一時ＩＤは、図２に示す実施例における関連説明を参照してもよく、ここでは繰り返して記載しない。
【０１０１】
本実施例において、アグリゲートノードは、ＵＥが第１ＲＡＮにアクセスする場合にコアネットワークノードから前記ＵＥに割り当てられ、前記コアネットワークノードのＩＤ情報が含まれる一時ＩＤをコアネットワークノードから受信する。アグリゲートノードは、前記一時ＩＤと前記アグリゲートノードのＩＤ情報を前記ＵＥに送信する。よって、前記ＵＥは、前記第１ＲＡＮで前記アグリゲートノードと前記コアネットワークノードとの接続を確立する。アグリゲートノードは、前記第１ＲＡＮの接続を保持する前記ＵＥから前記第２ＲＡＮに接続確立要求を送信する場合に第２ＲＡＮから送信される接続確立要求を受信する。アグリゲートノードは、ＵＥのコンテキスト情報を接続確立要求に関連付けて管理する。よって、ＵＥは、同時に第１ＲＡＮと第２ＲＡＮ経由でネットワークに滞在する。
【０１０２】
図１２には、ＵＥの構造が示されている。当該ＵＥは、保存モジュール１２０１と、送信モジュール１２０２とを含む。保存モジュール１２０１は、前記ＵＥが第１ＲＡＮにアクセスするネットワークノードのＩＤ情報を保存することに用いられる。送信モジュール１２０２は、前記ＵＥが前記第１ＲＡＮの接続を保持しながら接続確立要求を第２ＲＡＮに送信することに用いられる。前記ネットワークノードのＩＤ情報が前記接続確立要求に含まれることから、前記第２ＲＡＮから前記ＵＥに対し、前記ネットワークノードを、前記ＵＥから前記第２ＲＡＮにアクセスするネットワークノードとして選択する。
【０１０３】
選択可能に、前記ネットワークノードは、コアネットワークノードを含む。前記ＵＥが前記第１ＲＡＮにアクセスする場合、前記コアネットワークノードのＩＤ情報が含まれる一時ＩＤは、前記コアネットワークノードから前記ＵＥに割り当てられる。前記保存モジュールは、前記一時ＩＤを受信して保存することに用いられる。
【０１０４】
選択可能に、前記ネットワークノードは、コアネットワークノードと、前記第１ＲＡＮで前記ＵＥと前記コアネットワークノードとの接続が確立されるアグリゲートノードを含む。前記ＵＥが前記第１ＲＡＮにアクセスする場合、前記コアネットワークノードのＩＤ情報が含まれる一時ＩＤは、前記コアネットワークノードから前記ＵＥに割り当てられる。前記保存モジュールは、前記一時ＩＤと前記アグリゲートノードのＩＤ情報を受信して保存することに用いられる。
【０１０５】
選択可能に、前記アグリゲートノードのＩＤ情報は、前記アグリゲートノードが前記コアネットワークノードから前記一時ＩＤを受信して前記ＵＥに送信するものであり、かつ、前記アグリゲートノードは、前記ＵＥのコンテキスト情報を前記一時ＩＤに関連付けて管理する。
【０１０６】
選択可能に、前記アグリゲートノードのＩＤ情報と前記一時ＩＤが前記接続確立要求に含まれることから、前記第２ＲＡＮは、前記アグリゲートノードを、前記ＵＥから前記第２ＲＡＮにアクセスするアグリゲートノードとして選択し、前記アグリゲートノードは、ＵＥのコンテキスト情報を前記一時ＩＤに関連付けて管理し、そして、前記ＵＥから前記第２ＲＡＮで送信されるメッセージを、前記ＵＥが前記第１ＲＡＮで確立する前記アグリゲートノードと前記コアネットワークノードとのインタフェースを介して伝送する。
【０１０７】
選択可能に、前記一時ＩＤは、第１一時ＩＤである。前記保存モジュールは、前記第１一時ＩＤと、前記アグリゲートノードから前記ＵＥに割り当てられ、かつ前記アグリゲートノードのＩＤ情報が含まれる第２一時ＩＤを受信して保存することに用いられる。
【０１０８】
選択可能に、前記第１一時ＩＤと前記第２一時ＩＤが前記接続確立要求に含まれることから、前記第２ＲＡＮは、前記アグリゲートノードを、前記ＵＥから前記第２ＲＡＮにアクセスするアグリゲートノートとして選択し、前記第２一時ＩＤを前記アグリゲートノードに送信し、前記アグリゲートノードは、ＵＥのコンテキスト情報を前記第２一時ＩＤに関連付けて管理する。
【０１０９】
なお、本実施例における上記ＵＥは、図１〜図１１に示されている実施例におけるＵＥであってもよい。本実施例における上記ＵＥは、図１〜図１１に示されている実施例におけるＵＥの任意の実施形態を実現し、同一の有益な効果を奏することができるので、ここでは繰り返して記載しない。
【０１１０】
図１３には、ＲＡＮノードの構造が示されている。当該ＲＡＮノードは、第２ＲＡＮのＲＡＮノードである。当該ＲＡＮノードは、第１ＲＡＮの接続を保持するＵＥから送信され、かつ前記ＵＥから前記第１ＲＡＮにアクセスするネットワークノードのＩＤ情報が含まれる接続確立要求を受信することに用いられる受信モジュール１３０１と、前記ＩＤ情報を用いて、前記ネットワークノードを、前記ＵＥから前記第２ＲＡＮにアクセスするネットワークノードとして選択することに用いられる選択モジュール１３０２とを含む。
【０１１１】
選択可能に、前記ネットワークノードは、コアネットワークノードを含む。前記ＵＥが前記第１ＲＡＮにアクセスする場合、前記コアネットワークノードのＩＤ情報が含まれる一時ＩＤは、前記コアネットワークノードから前記ＵＥに割り当てられる。前記接続確立要求に前記一時ＩＤが含まれる。
【０１１２】
選択可能に、前記ネットワークノードは、コアネットワークノードと、前記第１ＲＡＮで前記ＵＥと前記コアネットワークノードとの接続が確立されるアグリゲートノードを含む。前記ＵＥが前記第１ＲＡＮにアクセスする場合、前記コアネットワークノードのＩＤ情報が含まれる一時ＩＤは、前記コアネットワークノードから前記ＵＥに割り当てられる。前記接続確立要求に前記アグリゲートノードのＩＤ情報と前記一時ＩＤが含まれる。
【０１１３】
選択可能に、選択モジュール１３０２は、前記アグリゲートノードのＩＤ情報を用いて、前記アグリゲートノードを、前記ＵＥから前記第２ＲＡＮにアクセスするアグリゲートノードとして選択することに用いられる。よって、前記アグリゲートノードは、ＵＥのコンテキスト情報を前記一時ＩＤに関連付けて管理し、そして、前記ＵＥから前記第２ＲＡＮで送信されるメッセージを、前記ＵＥが前記第１ＲＡＮで確立する前記アグリゲートノードと前記コアネットワークノードとのインタフェースを介して伝送する。
【０１１４】
選択可能に、前記一時ＩＤは、第１一時ＩＤである。前記接続確立要求は、前記第１一時ＩＤと、前記アグリゲートノードから前記ＵＥに割り当てられ、かつ前記アグリゲートノードのＩＤ情報が含まれる第２一時ＩＤとを含む。選択モジュール１３０２は、前記第２一時ＩＤを用いて、前記ネットワークノードを、前記ＵＥから前記第２ＲＡＮにアクセスするネットワークノードとして選択することに用いられる。よって、前記アグリゲートノードは、ＵＥのコンテキスト情報を前記第２一時ＩＤに関連付けて管理する。
【０１１５】
なお、本実施例における上記ＲＡＮノードは、図１〜図１１に示されている実施例におけるＲＡＮノードであってもよい。本実施例における上記ＲＡＮノードは、図１〜図１１に示されている実施例におけるＲＡＮノードの任意の実施形態を実現し、同一の有益な効果を奏することができるので、ここでは繰り返して記載しない。
【０１１６】
図１４には、コアネットワークノードの構造が示されている。当該コアネットワークノードは、割当モジュール１４０１と、送信モジュール１４０２とを含む。割当モジュール１４０１は、ＵＥが第１ＲＡＮにアクセスする場合、前記コアネットワークノードのＩＤ情報が含まれる一時ＩＤを前記ＵＥに割り当てることに用いられる。送信モジュール１４０２は、前記ＵＥに前記一時ＩＤを送信することに用いられる。よって、前記ＵＥは、前記一時ＩＤを保存する。前記ＵＥは、前記第１ＲＡＮの接続を保持しながら、接続確立要求を第２ＲＡＮに送信する。前記一時ＩＤが前記接続確立要求に含まれることから、前記第２ＲＡＮは、前記コアネットワークノードを、前記ＵＥから前記第２ＲＡＮにアクセスするコアネットワークノードとして選択する。
【０１１７】
選択可能に、送信モジュール１４０２は、前記一時ＩＤをアグリゲートノードに送信することに用いられる。よって、前記アグリゲートノードは、前記一時ＩＤと前記アグリゲートノードのＩＤ情報を前記ＵＥに送信する。前記アグリゲートノードは、前記第１ＲＡＮで前記ＵＥと前記コアネットワークノードとの接続が確立されるアグリゲートノードである。
【０１１８】
選択可能に、図１５に示されているように、前記コアネットワークノードは、受信モジュール１４０３をさらに含でんもよい。受信モジュール１４０３は、前記アグリゲートノードから、前記ＵＥが前記第１ＲＡＮで確立する前記アグリゲートノードと前記コアネットワークノードとのインタフェースを介して伝送され、前記ＵＥから前記第２ＲＡＮで送信されるメッセージを受信することに用いられる。
【０１１９】
選択可能に、前記一時ＩＤは、第１一時ＩＤである。前記アグリゲートノードのＩＤ情報は、前記アグリゲートノードから前記ＵＥに割り当てられる第２一時ＩＤである。前記第２一時ＩＤは、前記アグリゲートノードのＩＤ情報を含む。
【０１２０】
なお、本実施例における上記コアネットワークノードは、図１〜図１１に示されている実施例におけるコアネットワークノードであってもよい。本実施例における上記コアネットワークノードは、図１〜図１１に示されている実施例におけるコアネットワークノードの任意の実施形態を実現し、同一の有益な効果を奏することができるので、ここでは繰り返して記載しない。
【０１２１】
図１６には、アグリゲートノードの構造が示されている。当該アグリゲートノードは、ＵＥが第１ＲＡＮにアクセスする場合にコアネットワークノードから前記ＵＥに割り当てられ、前記コアネットワークノードのＩＤ情報が含まれる一時ＩＤを、コアネットワークノードから受信することに用いられる第１受信モジュール１６０１と、前記ＵＥが前記第１ＲＡＮで前記アグリゲートノードと前記コアネットワークノードとの接続を確立するべく、前記一時ＩＤと前記アグリゲートノードのＩＤ情報を前記ＵＥに送信することに用いられる送信モジュール１６０２と、前記第１ＲＡＮの接続を保持する前記ＵＥから前記第２ＲＡＮに接続確立要求を送信する場合に第２ＲＡＮから送信される接続確立要求を受信することに用いられる第２受信モジュール１６０４と、ＵＥのコンテキスト情報を接続確立要求に関連付けて管理することに用いられる管理モジュール１６０３とを含む。
【０１２２】
選択可能に、図１７に示されているように、上記アグリゲートノードは、前記ＵＥが前記第１ＲＡＮで確立する前記アグリゲートノードと前記コアネットワークノードとのインタフェースを介して、前記ＵＥから前記第２ＲＡＮで送信されるメッセージを伝送することに用いられる伝送モジュール１６０５をさらに含んでもよい。
【０１２３】
選択可能に、前記第２ＲＡＮから送信される接続確立要求は、前記ＩＤ情報と前記一時ＩＤを含む。管理モジュール１６０３は、ＵＥのコンテキスト情報を前記一時ＩＤに関連付けて管理することに用いられる。
【０１２４】
選択可能に、前記一時ＩＤは、第１一時ＩＤである。図１８に示されているように、前記アグリゲートノードは、前記ＵＥに第２一時ＩＤを割り当てることに用いられる割当モジュール１６０６をさらに含んでもよい。前記アグリゲートノードのＩＤ情報は、前記第２一時ＩＤである。前記第２一時ＩＤは、前記アグリゲートノードのＩＤ情報を含む。
【０１２５】
選択可能に、前記第２ＲＡＮから送信される接続確立要求は、前記第１一時ＩＤと前記第２一時ＩＤを含む。前記管理モジュール１６０３は、ＵＥのコンテキスト情報を前記第２一時ＩＤに関連付けて管理することに用いられる。
【０１２６】
なお、本実施例における上記アグリゲートノードは、図１〜図１１に示されている実施例におけるアグリゲートノードであってもよい。本実施例における上記アグリゲートノードは、図１〜図１１に示されている実施例におけるアグリゲートノードの任意の実施形態を実現し、同一の有益な効果を奏することができるので、ここでは繰り返して記載しない。
【０１２７】
図１９には、ＵＥの構造が示されている。当該ＵＥは、プロセッサ１９００と、プロセッサ１９００の制御のもとでデータを送受信することに用いられる送受信機１９１０と、メモリ１９２０と、ユーザインタフェース１９３０と、バスインタフェースとを含む。プロセッサ１９００は、メモリ１９２０からプログラムを読み取って、第１ＲＡＮにアクセスするネットワークノードのＩＤ情報を保存するプロセスと、前記第１ＲＡＮの接続を保持しながら、接続確立要求を送受信機１９１０経由で第２ＲＡＮに送信するプロセスを実行し、前記ネットワークノードのＩＤ情報が前記接続確立要求に含まれることから、前記第２ＲＡＮから前記ＵＥに対し、前記ネットワークノードを、前記ＵＥから前記第２ＲＡＮにアクセスするネットワークノードとして選択する。
【０１２８】
図１９において、バスアーキテクチャは、任意数の相互接続するバスとブリッジを含み、具体的に、プロセッサ１９００をはじめとする１つ又は複数のプロセッサとメモリ１９２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。送受信機１９１０は、複数の部品であってもよく、即ち送信機と受信機を含み、伝送媒体でほかの各種類の装置と通信するユニットとして提供される。ユーザ端末によっては、ユーザインタフェース１９３０は、必要な機器を内部接続や外部接続するのインタフェースであってもよい。接続する機器は、キーパッド、ディスプレイ、スピーカ、マイクロフォン、ジョイスティックなどを含むが、それらに限られない。
【０１２９】
プロセッサ１９００は、バスアーキテクチャと通常の処理を管理する。メモリ１９２０は、プロセッサ１９００による作業時に使用されるデータを記憶できる。
【０１３０】
選択可能に、前記ネットワークノードは、コアネットワークノードを含む。前記ＵＥが前記第１ＲＡＮにアクセスする場合、前記コアネットワークノードのＩＤ情報が含まれる一時ＩＤは、前記コアネットワークノードから前記ＵＥに割り当てられる。前記プロセッサ１９００によって実行され、第１ＲＡＮに滞在するネットワークノードのＩＤ情報を保存することは、送受信機１９１０を介して前記一時ＩＤを受信して保存することを含む。
【０１３１】
選択可能に、前記ネットワークノードは、コアネットワークノードと、前記第１ＲＡＮで前記ＵＥと前記コアネットワークノードとの接続が確立されるアグリゲートノードを含む。前記ＵＥが前記第１ＲＡＮにアクセスする場合、前記コアネットワークノードのＩＤ情報が含まれる一時ＩＤは、前記コアネットワークノードから前記ＵＥに割り当てられる。前記プロセッサ１９００によって実行され、第１ＲＡＮに滞在するネットワークノードのＩＤ情報を保存することは、前記一時ＩＤと前記アグリゲートノードのＩＤ情報を送受信機１９１０経由で受信して保存することを含む。
【０１３２】
選択可能に、前記アグリゲートノードのＩＤ情報は、前記アグリゲートノードが前記コアネットワークノードから前記一時ＩＤを受信して前記ＵＥに送信するものであり、かつ、前記アグリゲートノードは、前記ＵＥのコンテキスト情報を前記一時ＩＤに関連付けて管理する。
【０１３３】
選択可能に、前記アグリゲートノードのＩＤ情報と前記一時ＩＤが前記接続確立要求に含まれることから、前記第２ＲＡＮは、前記アグリゲートノードを、前記ＵＥから前記第２ＲＡＮにアクセスするアグリゲートノードとして選択し、前記アグリゲートノードは、ＵＥのコンテキスト情報を前記一時ＩＤに関連付けて管理し、そして、前記ＵＥから前記第２ＲＡＮで送信されるメッセージを、前記ＵＥが前記第１ＲＡＮで確立する前記アグリゲートノードと前記コアネットワークノードとのインタフェースを介して伝送する。
【０１３４】
選択可能に、前記一時ＩＤは、第１一時ＩＤである。プロセッサ１９００によって実行され、前記一時ＩＤと前記アグリゲートノードのＩＤ情報を送受信機１９１０経由で受信して保存することは、前記第１一時ＩＤと、前記アグリゲートノードから前記ＵＥに割り当てられ、かつ前記アグリゲートノードのＩＤ情報が含まれる第２一時ＩＤを送受信機１９１０経由で受信して保存することを含む。
【０１３５】
選択可能に、前記第１一時ＩＤと前記第２一時ＩＤが前記接続確立要求に含まれることから、前記第２ＲＡＮは、前記アグリゲートノードを、前記ＵＥから前記第２ＲＡＮにアクセスするアグリゲートノートとして選択し、前記第２一時ＩＤを前記アグリゲートノードに送信し、前記アグリゲートノードは、ＵＥのコンテキスト情報を前記第２一時ＩＤに関連付けて管理する。
【０１３６】
なお、本実施例における上記ＵＥは、図１〜図１１に示されている実施例におけるＵＥであってもよい。本実施例における上記ＵＥは、図１〜図１１に示されている実施例におけるＵＥの任意の実施形態を実現し、同一の有益な効果を奏することができるので、ここでは繰り返して記載しない。
【０１３７】
図２０には、ＲＡＮノードの構造が示されている。当該ＲＡＮノードは、第２ＲＡＮのＲＡＮノードである。当該ＲＡＮノードは、プロセッサ２０００と、プロセッサ２０００の制御のもとでデータを送受信することに用いられる送受信機２０１０と、メモリ２０２０と、ユーザインタフェース２０３０と、バスインタフェースとを含む。プロセッサ２０００は、メモリ２０２０からプログラムを読み取って、第１ＲＡＮの接続を保持するＵＥから送信され、かつ前記ＵＥから前記第１ＲＡＮにアクセスするネットワークノードのＩＤ情報が含まれる接続確立要求を、送受信機２０１０経由で受信するプロセスと、前記ＩＤ情報を用いて、前記ネットワークノードを、前記ＵＥから前記第２ＲＡＮにアクセスするネットワークノードとして選択するプロセスとを実行する。
【０１３８】
ここで、図２０において、バスアーキテクチャは、任意数の相互接続するバスとブリッジを含み、具体的に、プロセッサ２０００をはじめとする１つ又は複数のプロセッサとメモリ２０２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。送受信機２０１０は、複数の部品であってもよく、即ち送信機と受信機を含み、伝送媒体でほかの各種類の装置と通信するユニットとして提供される。プロセッサ２０００は、バスアーキテクチャと通常の処理を管理する。メモリ２０２０は、プロセッサ２０００による作業時に使用されるデータを記憶できる。
【０１３９】
プロセッサ２０００は、バスアーキテクチャと通常の処理を管理する。メモリ２０２０は、プロセッサ２０００による作業時に使用されるデータを記憶できる。
【０１４０】
選択可能に、前記ネットワークノードは、コアネットワークノードを含む。前記ＵＥが前記第１ＲＡＮにアクセスする場合、前記コアネットワークノードのＩＤ情報が含まれる一時ＩＤは、前記コアネットワークノードから前記ＵＥに割り当てられる。前記接続確立要求に前記一時ＩＤが含まれる。
【０１４１】
選択可能に、前記ネットワークノードは、コアネットワークノードと、前記第１ＲＡＮで前記ＵＥと前記コアネットワークノードとの接続が確立されるアグリゲートノードを含む。前記ＵＥが前記第１ＲＡＮにアクセスする場合、前記コアネットワークノードのＩＤ情報が含まれる一時ＩＤは、前記コアネットワークノードから前記ＵＥに割り当てられる。前記接続確立要求に前記アグリゲートノードのＩＤ情報と前記一時ＩＤが含まれる。
【０１４２】
選択可能に、プロセッサ２０００によって実行され、前記ＩＤ情報を用いて、前記ネットワークノードを、前記ＵＥから前記第２ＲＡＮにアクセスするネットワークノードとして選択することは、前記アグリゲートノードのＩＤ情報を用いて、前記アグリゲートノードを、前記ＵＥから前記第２ＲＡＮにアクセスするアグリゲートノードとして選択することを含む。よって、前記アグリゲートノードは、ＵＥのコンテキスト情報を前記一時ＩＤに関連付けて管理し、そして、前記ＵＥから前記第２ＲＡＮで送信されるメッセージを、前記ＵＥが前記第１ＲＡＮで確立する前記アグリゲートノードと前記コアネットワークノードとのインタフェースを介して伝送する。
【０１４３】
選択可能に、前記一時ＩＤは、第１一時ＩＤである。前記接続確立要求は、前記第１一時ＩＤと、前記アグリゲートノードから前記ＵＥに割り当てられ、かつ前記アグリゲートノードのＩＤ情報が含まれる第２一時ＩＤとを含む。プロセッサ２０００によって実行され、前記ＩＤ情報を用いて、前記ネットワークノードを、前記ＵＥから前記第２ＲＡＮにアクセスするネットワークノードとして選択することは、前記第２一時ＩＤを用いて、前記ネットワークノードを、前記ＵＥから前記第２ＲＡＮにアクセスするネットワークノードとして選択することを含む。よって、前記アグリゲートノードは、ＵＥのコンテキスト情報を前記第２一時ＩＤに関連付けて管理する。
【０１４４】
なお、本実施例における上記ＲＡＮノードは、図１〜図１１に示されている実施例におけるＲＡＮノードであってもよい。本実施例における上記ＲＡＮノードは、図１〜図１１に示されている実施例におけるＲＡＮノードの任意の実施形態を実現し、同一の有益な効果を奏することができるので、ここでは繰り返して記載しない。
【０１４５】
図２１には、コアネットワークノードの構造が示されている。当該コアネットワークノードは、プロセッサ２１００と、プロセッサ２１００の制御のもとでデータを送受信することに用いられる送受信機２１１０と、メモリ２１２０と、ユーザインタフェース２１３０と、バスインタフェースとを含む。プロセッサ２１００は、メモリ２１２０からプログラムを読み取って、ＵＥが第１ＲＡＮにアクセスする場合、前記コアネットワークノードのＩＤ情報が含まれる一時ＩＤを前記ＵＥに割り当てるプロセスと、前記一時ＩＤを送受信機２１１０経由で前記ＵＥに送信するプロセスとを実行し、よって、前記ＵＥは、前記一時ＩＤを保存し、前記第１ＲＡＮの接続を保持しながら、接続確立要求を第２ＲＡＮに送信し、前記一時ＩＤが前記接続確立要求に含まれることから、前記第２ＲＡＮは、前記コアネットワークノードを、前記ＵＥから前記第２ＲＡＮにアクセスするコアネットワークノードとして選択する。
【０１４６】
図２１において、バスアーキテクチャは、任意数の相互接続するバスとブリッジを含み、具体的に、プロセッサ２１００をはじめとする１つ又は複数のプロセッサとメモリ２１２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。送受信機２１１０は、複数の部品であってもよく、即ち送信機と受信機を含み、伝送媒体でほかの各種類の装置と通信するユニットとして提供される。ユーザ端末によっては、ユーザインタフェース２１３０は、内部接続や外部接続する機器のインタフェースであってもよい。接続する機器は、キーパッド、ディスプレイ、スピーカ、マイクロフォン、ジョイスティックなどを含むが、それらに限られない。
【０１４７】
プロセッサ２１００は、バスアーキテクチャと通常の処理を管理する。メモリ２１２０は、プロセッサ２１００による作業時に使用されるデータを記憶できる。
【０１４８】
選択可能に、プロセッサ２１００が送受信機２１１０経由で前記ＵＥに前記一時ＩＤを送信することは、前記一時ＩＤを送受信機２１１０経由でアグリゲートノードに送信することを含む。よって、前記アグリゲートノードは、前記一時ＩＤと前記アグリゲートノードのＩＤ情報を前記ＵＥに送信する。前記アグリゲートノードは、前記第１ＲＡＮで前記ＵＥと前記コアネットワークノードとの接続が確立されるアグリゲートノードである。
【０１４９】
選択可能に、プロセッサ２１００は、さらに、前記アグリゲートノードから、前記ＵＥが前記第１ＲＡＮで確立する前記アグリゲートノードと前記コアネットワークノードとのインタフェースを介して伝送され、前記ＵＥから前記第２ＲＡＮで送信されるメッセージを、送受信機２１１０経由で受信することに用いられる。
【０１５０】
選択可能に、前記一時ＩＤは、第１一時ＩＤである。前記アグリゲートノードのＩＤ情報は、前記アグリゲートノードから前記ＵＥに割り当てられる第２一時ＩＤである。前記第２一時ＩＤは、前記アグリゲートノードのＩＤ情報を含む。
【０１５１】
なお、本実施例における上記コアネットワークノードは、図１〜図１１に示されている実施例におけるコアネットワークノードであってもよい。本実施例における上記コアネットワークノードは、図１〜図１１に示されている実施例におけるコアネットワークノードの任意の実施形態を実現し、同一の有益な効果を奏することができるので、ここでは繰り返して記載しない。
【０１５２】
図２２には、アグリゲートノードの構造が示されている。当該アグリゲートノードは、プロセッサ２２００と、プロセッサ２２００の制御のもとでデータを送受信することに用いられる送受信機２２１０と、メモリ２２２０と、ユーザインタフェース２２３０と、バスインタフェースとを含む。プロセッサ２２００は、メモリ２２２０からプログラムを読み取って、ＵＥが第１ＲＡＮにアクセスする場合にコアネットワークノードから前記ＵＥに割り当てられ、前記コアネットワークノードのＩＤ情報が含まれる一時ＩＤを、コアネットワークノードから送受信機２２１０経由で受信するプロセスと、前記ＵＥが前記第１ＲＡＮで前記アグリゲートノードと前記コアネットワークノードとの接続を確立するべく、前記一時ＩＤと前記アグリゲートノードのＩＤ情報を、送受信機２２１０経由で前記ＵＥに送信するプロセスと、前記第１ＲＡＮの接続を保持する前記ＵＥから前記第２ＲＡＮに接続確立要求を送信する場合に第２ＲＡＮから送信される接続確立要求を、送受信機２２１０経由で受信するプロセスと、ＵＥのコンテキスト情報を接続確立要求に関連付けて管理するプロセスとを実行する。
【０１５３】
ここで、図２２において、バスアーキテクチャは、任意数の相互接続するバスとブリッジを含み、具体的に、プロセッサ２２００をはじめとする１つ又は複数のプロセッサとメモリ２２２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。送受信機２２１０は、複数の部品であってもよく、即ち送信機と受信機を含み、伝送媒体でほかの各種類の装置と通信するユニットとして提供される。プロセッサ２２００は、バスアーキテクチャと通常の処理を管理する。メモリ２２２０は、プロセッサ２２００による作業時に使用されるデータを記憶できる。
【０１５４】
プロセッサ２２００は、バスアーキテクチャと通常の処理を管理する。メモリ２２２０は、プロセッサ２２００による作業時に使用されるデータを記憶できる。
【０１５５】
選択可能に、プロセッサ２２００は、さらに、送受信機２２１０経由で、前記ＵＥが前記第１ＲＡＮで確立する前記アグリゲートノードと前記コアネットワークノードとのインタフェースを介して、前記ＵＥから前記第２ＲＡＮで送信されるメッセージを伝送することに用いられる。
【０１５６】
選択可能に、前記第２ＲＡＮから送信される接続確立要求は、前記ＩＤ情報と前記一時ＩＤを含む。プロセッサ２２００によって実行され、ＵＥのコンテキスト情報を接続確立要求に関連付けて管理することは、ＵＥのコンテキスト情報を前記一時ＩＤに関連付けて管理することを含む。
【０１５７】
選択可能に、前記一時ＩＤは、第１一時ＩＤである。プロセッサ２２００は、さらに、前記ＵＥに第２一時ＩＤを割り当てることに用いられる。前記アグリゲートノードのＩＤ情報は、前記第２一時ＩＤである。前記第２一時ＩＤは、前記アグリゲートノードのＩＤ情報を含む。
【０１５８】
選択可能に、前記第２ＲＡＮから送信される接続確立要求は、前記第１一時ＩＤと前記第２一時ＩＤを含む。プロセッサ２２００によって実行され、ＵＥのコンテキスト情報を接続確立要求に関連付けて管理することは、ＵＥのコンテキスト情報を前記第２一時ＩＤに関連付けて管理することを含む。
【０１５９】
なお、本実施例における上記アグリゲートノードは、図１〜図１１に示されている実施例におけるアグリゲートノードであってもよい。本実施例における上記アグリゲートノードは、図１〜図１１に示されている実施例におけるアグリゲートノードの任意の実施形態を実現し、同一の有益な効果を奏することができるので、ここでは繰り返して記載しない。
【０１６０】
図２３には、ネットワークアクセスシステムの構造が示されている。当該システムは、コアネットワークノード２３０１と、ＵＥ２３０２と、第２ＲＡＮのＲＡＮノード２３０３とを含む。前記コアネットワークノード２３０１は、ＵＥ２３０２が第１ＲＡＮにアクセスする場合、前記コアネットワークノードのＩＤ情報が含まれる一時ＩＤを前記ＵＥに割り当てて送信することに用いられる。前記ＵＥ２３０２は、前記一時ＩＤを保存し、前記一時ＩＤが含まれる接続確立要求を、前記第１ＲＡＮの接続を保持しながら第２ＲＡＮに送信することに用いられる。前記第２ＲＡＮのＲＡＮノード２３０３は、前記一時ＩＤを用いて、前記コアネットワークノードを、前記ＵＥから前記第２ＲＡＮにアクセスするコアネットワークノードとして選択することに用いられる。
【０１６１】
本実施例において、コアネットワークノード２３０１、ＵＥ２３０２、アグリゲートノード２３０３、ＲＡＮノード２４０４は、図１〜図２２に示されている実施例におけるコアネットワークノード、ＵＥ、アグリゲートノード、ＲＡＮノードであってもよく、その実施形態は、図１〜図２２に示されている実施例を参照されたく、同一の有益な効果を奏することができるので、ここでは繰り返して記載しない。
図２４には、ネットワークアクセスシステムの構造が示されている。当該システムは、コアネットワークノード２４０１と、アグリゲートノード２４０３と、ＵＥ２４０２と、第２ＲＡＮのＲＡＮノード２４０４とを含む。前記コアネットワークノード２４０１は、ＵＥが第１ＲＡＮにアクセスする場合、前記コアネットワークノードのＩＤ情報が含まれる一時ＩＤを前記ＵＥに割り当て、前記一時ＩＤをアグリゲートノードに送信することに用いられる。前記アグリゲートノード２４０３は、前記ＵＥが前記第１ＲＡＮで前記アグリゲートノードと前記コアネットワークノードとの接続を確立するべく、前記一時ＩＤと前記アグリゲートノードのＩＤ情報を前記ＵＥ２４０２に送信することに用いられる。前記ＵＥ２４０２は、前記一時ＩＤと前記ＩＤ情報を保存し、前記一時ＩＤと前記ＩＤ情報が含まれる接続確立要求を、前記第１ＲＡＮの接続を保持しながら第２ＲＡＮに送信することに用いられる。前記第２ＲＡＮのＲＡＮノード２４０４は、前記ＩＤ情報を用いて、前記アグリゲートノードを、前記ＵＥ２４０２から前記第２ＲＡＮにアクセスするアグリゲートノードとして選択することに用いられる。
【０１６２】
本実施例において、コアネットワークノード２４０１、ＵＥ２４０２、アグリゲートノード２４０３、ＲＡＮノード２４０４は、図１〜図２２に示されている実施例におけるコアネットワークノード、ＵＥ、アグリゲートノード、ＲＡＮノードであってもよく、その実施形態は、図１〜図２２に示されている実施例を参照されたく、同一の有益な効果を奏することができるので、ここでは繰り返して記載しない。
【０１６３】
本開示にて提供されるいくつかの実施例において、開示された方法および装置は、他の方式で実施され得ることを理解されたい。以上記載した装置実施例は、単に例示的なものである。例えば、記載したモジュール、ユニットの区分は、単に論理機能の区分であり、実際に実現する際に別の区分方式がある。例えば、複数のユニットまたはコンポーネントは、組み合わせてもよく、別のシステムに一体化されてもよく、または、一部の特徴は、無視されてもよく、または実行されなくてもよい。また、示されているまたは議論されている各構成部分の相互間の結合や直接結合や通信接続は、インタフェース、装置またはユニットを介した間接結合や通信接続であってもよく、電気的、機械的、または他の形式であってもよい。
【０１６４】
また、本開示の各実施例における各機能的ユニットは、全て１つの処理ユニットに一体化されていてもよいし、別々に１つのユニットとしてもよいし、２つ以上のユニットが１つのユニットに一体化されてもよい。上述した一体化ユニットは、ハードウェアの形態、またはハードウェアとソフトウェア機能ユニットの形態で実施することができる。
【０１６５】
上述したソフトウェア機能ユニットの形態で実施される一体化ユニットは、コンピュータ読み取り可能な記憶媒体に格納されてもよい。上記ソフトウェア機能ユニットは、記憶媒体に記憶され、本開示の各実施例の送受信方法のステップの一部をコンピュータ装置（パーソナルコンピュータ、サーバ、又はネットワークデバイスであってもよい）に実行させるいくつかの指令を含む。前記記憶媒体は、Ｕディスク、モバイルハードディスク、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスクまたは光ディスクなど、プログラムコードを格納することができる様々な媒体を含む。
【０１６６】
以上記載されたのは、本開示の好適な実施形態である。当業者は、本開示に記載されている原理を逸脱せずに様々な改良や修飾をすることもできる。これらの改良や修飾も、本開示の保護範囲内に含まれる。
【図１ａ】
2019510435.tif 000003
【図１ｂ】
2019510435.tif 000004
【図２】
2019510435.tif 000005
【図３】
2019510435.tif 000006
【図４】
2019510435.tif 000007
【図５】
2019510435.tif 000008
【図６】
2019510435.tif 000009
【図７】
2019510435.tif 000010
【図８】
2019510435.tif 000011
【図９】
2019510435.tif 000012
【図１０】
2019510435.tif 000013
【図１１】
2019510435.tif 000014
【図１２】
2019510435.tif 000015
【図１３】
2019510435.tif 000016
【図１４】
2019510435.tif 000017
【図１５】
2019510435.tif 000018
【図１６】
2019510435.tif 000019
【図１７】
2019510435.tif 000020
【図１８】
2019510435.tif 000021
【図１９】
2019510435.tif 000022
【図２０】
2019510435.tif 000023
【図２１】
2019510435.tif 000024
【図２２】
2019510435.tif 000025
【図２３】
2019510435.tif 000026
【図２４】
2019510435.tif 000027
【手続補正書】
【提出日】平成30年10月17日(2018.10.17)
【手続補正１】
【補正対象書類名】特許請求の範囲
【補正対象項目名】全文
【補正方法】変更
【補正の内容】
【特許請求の範囲】
【請求項１】
ネットワークアクセス方法において、
ＵＥが、第１ＲＡＮにアクセスするネットワークノードのＩＤ情報を保存することと、
前記ＵＥが、前記第１ＲＡＮの接続を保持しながら、接続確立要求を第２ＲＡＮに送信することとを含み、
前記ネットワークノードのＩＤ情報が前記接続確立要求に含まれることから、前記第２ＲＡＮから前記ＵＥに対し、前記ネットワークノードを、前記ＵＥから前記第２ＲＡＮにアクセスするネットワークノードとして選択するネットワークアクセス方法。
【請求項２】
前記ネットワークノードは、コアネットワークノードを含み、
前記ＵＥが前記第１ＲＡＮにアクセスする場合、前記コアネットワークノードのＩＤ情報が含まれる一時ＩＤは、前記コアネットワークノードから前記ＵＥに割り当てられ、
前記ＵＥが、第１ＲＡＮにアクセスするネットワークノードのＩＤ情報を保存することは、
前記ＵＥが前記一時ＩＤを受信して保存することを含む請求項１に記載の方法。
【請求項３】
前記ネットワークノードは、コアネットワークノードと、前記第１ＲＡＮで前記ＵＥと前記コアネットワークノードとの接続が確立されるアグリゲートノードを含み、
前記ＵＥが前記第１ＲＡＮにアクセスする場合、前記コアネットワークノードのＩＤ情報が含まれる一時ＩＤは、前記コアネットワークノードから前記ＵＥに割り当てられ、
前記ＵＥが、第１ＲＡＮにアクセスするネットワークノードのＩＤ情報を保存することは、
前記ＵＥが前記一時ＩＤと前記アグリゲートノードのＩＤ情報を受信して保存することを含む請求項１に記載の方法。
【請求項４】
前記アグリゲートノードのＩＤ情報は、前記アグリゲートノードが前記コアネットワークノードから前記一時ＩＤを受信して前記ＵＥに送信するものであり、かつ、
前記アグリゲートノードは、前記ＵＥのコンテキスト情報を前記一時ＩＤに関連付けて管理する請求項３に記載の方法。
【請求項５】
前記アグリゲートノードのＩＤ情報と前記一時ＩＤが前記接続確立要求に含まれることから、
前記第２ＲＡＮは、前記アグリゲートノードを、前記ＵＥから前記第２ＲＡＮにアクセスするアグリゲートノードとして選択し、
前記アグリゲートノードは、ＵＥのコンテキスト情報を前記一時ＩＤに関連付けて管理し、そして、前記ＵＥから前記第２ＲＡＮで送信されるメッセージを、前記ＵＥが前記第１ＲＡＮで確立する前記アグリゲートノードと前記コアネットワークノードとのインタフェースを介して伝送する請求項３または４に記載の方法。
【請求項６】
ネットワークアクセス方法において、
第２ＲＡＮのＲＡＮノードが、第１ＲＡＮの接続を保持するＵＥから送信され、かつ前記ＵＥから前記第１ＲＡＮにアクセスするネットワークノードのＩＤ情報が含まれる接続確立要求を受信することと、
前記ＲＡＮノードが、前記ＩＤ情報を用いて、前記ネットワークノードを、前記ＵＥから前記第２ＲＡＮにアクセスするネットワークノードとして選択することとを含むネットワークアクセス方法。
【請求項７】
前記ネットワークノードは、コアネットワークノードを含み、
前記ＵＥが前記第１ＲＡＮにアクセスする場合、前記コアネットワークノードのＩＤ情報が含まれる一時ＩＤは、前記コアネットワークノードから前記ＵＥに割り当てられ、
前記接続確立要求に前記一時ＩＤが含まれる請求項６に記載の方法。
【請求項８】
前記ネットワークノードは、コアネットワークノードと、前記第１ＲＡＮで前記ＵＥと前記コアネットワークノードとの接続が確立されるアグリゲートノードを含み、
前記ＵＥが前記第１ＲＡＮにアクセスする場合、前記コアネットワークノードのＩＤ情報が含まれる一時ＩＤは、前記コアネットワークノードから前記ＵＥに割り当てられ、
前記接続確立要求に前記アグリゲートノードのＩＤ情報と前記一時ＩＤが含まれる請求項６に記載の方法。
【請求項９】
前記ＲＡＮノードが、前記ＩＤ情報を用いて、前記ネットワークノードを、前記ＵＥから前記第２ＲＡＮにアクセスするネットワークノードとして選択することは、
前記ＲＡＮノードが、前記アグリゲートノードのＩＤ情報を用いて、前記アグリゲートノードを、前記ＵＥから前記第２ＲＡＮにアクセスするアグリゲートノードとして選択することを含み、
よって、前記アグリゲートノードは、ＵＥのコンテキスト情報を前記一時ＩＤに関連付けて管理し、そして、前記ＵＥから前記第２ＲＡＮで送信されるメッセージを、前記ＵＥが前記第１ＲＡＮで確立する前記アグリゲートノードと前記コアネットワークノードとのインタフェースを介して伝送する請求項８に記載の方法。
【請求項１０】
ネットワークアクセス方法において、
ＵＥが第１ＲＡＮにアクセスする場合、コアネットワークノードから、前記コアネットワークノードのＩＤ情報が含まれる一時ＩＤを前記ＵＥに割り当てることと、
前記コアネットワークノードから前記ＵＥに前記一時ＩＤを送信することとを含み、
前記コアネットワークノードから前記ＵＥに前記一時ＩＤを送信することによって、前記ＵＥは、前記一時ＩＤを保存し、前記第１ＲＡＮの接続を保持しながら、接続確立要求を第２ＲＡＮに送信し、前記一時ＩＤが前記接続確立要求に含まれることから、前記第２ＲＡＮは、前記コアネットワークノードを、前記ＵＥから前記第２ＲＡＮにアクセスするコアネットワークノードとして選択するネットワークアクセス方法。
【請求項１１】
前記コアネットワークノードから前記一時ＩＤを前記ＵＥに送信することは、
前記第１ＲＡＮで前記ＵＥと前記コアネットワークノードとの接続が確立されるアグリゲートノードのＩＤ情報と前記一時ＩＤを前記アグリゲートノードから前記ＵＥに送信するため、前記一時ＩＤを前記コアネットワークノードから前記アグリゲートノードに送信することを含む請求項１０に記載の方法。
【請求項１２】
前記コアネットワークノードは、前記アグリゲートノードから、前記ＵＥが前記第１ＲＡＮで確立する前記アグリゲートノードと前記コアネットワークノードとのインタフェースを介して伝送され、前記ＵＥから前記第２ＲＡＮで送信されるメッセージを受信することをさらに含む請求項１１に記載の方法。
【請求項１３】
ネットワークアクセス方法において、
ＵＥが第１ＲＡＮにアクセスする場合にコアネットワークノードから前記ＵＥに割り当てられ、前記コアネットワークノードのＩＤ情報が含まれる一時ＩＤを、アグリゲートノードがコアネットワークノードから受信することと、
前記ＵＥが前記第１ＲＡＮで前記アグリゲートノードと前記コアネットワークノードとの接続を確立するため、前記アグリゲートノードが、前記一時ＩＤと前記アグリゲートノードのＩＤ情報を前記ＵＥに送信することと、
前記アグリゲートノードが、前記第１ＲＡＮの接続を保持する前記ＵＥから前記第２ＲＡＮに接続確立要求を送信する場合に第２ＲＡＮから送信される接続確立要求を受信することと、
前記アグリゲートノードが、ＵＥのコンテキスト情報を接続確立要求に関連付けて管理することとを含むネットワークアクセス方法。
【請求項１４】
前記アグリゲートノードは、前記ＵＥが前記第１ＲＡＮで確立する前記アグリゲートノードと前記コアネットワークノードとのインタフェースを介して、前記ＵＥから前記第２ＲＡＮで送信されるメッセージを伝送することをさらに含み、
前記第２ＲＡＮから送信される接続確立要求は、前記ＩＤ情報と前記一時ＩＤを含み、
前記アグリゲートノードがＵＥのコンテキスト情報を接続確立要求に関連付けて管理することは、
前記アグリゲートノードがＵＥのコンテキスト情報を前記一時ＩＤに関連付けて管理することを含む請求項１３に記載の方法。
【請求項１５】
ＵＥにおいて、
前記ＵＥが第１ＲＡＮにアクセスするネットワークノードのＩＤ情報を保存することに用いられる保存モジュールと、
前記ＵＥが前記第１ＲＡＮの接続を保持しながら接続確立要求を第２ＲＡＮに送信することに用いられる送信モジュールとを含み、
前記ネットワークノードのＩＤ情報が前記接続確立要求に含まれることから、前記第２ＲＡＮから前記ＵＥに対し、前記ネットワークノードを、前記ＵＥから前記第２ＲＡＮにアクセスするネットワークノードとして選択するＵＥ。
【国際調査報告】
2019510435.tif 000028
2019510435.tif 000029
2019510435.tif 000030
2019510435.tif 000031